(57)【要約】【課題】本発明は、コンテンツデータの再生の切り替えを的確に通知する。【解決手段】本発明は、制御部１１が、コンテンツデータの再生中に入力部１２を介してコンテンツデータの再生に関する命令が入力されると、表示処理部１７を制御して表示部１８に対し、現在再生中のコンテンツデータに関する情報から、次のコンテンツデータに関する情報へと切り替えて表示させると共に、再生部１３を制御して、現在再生中のコンテンツデータを所定のフェードアウト再生時間をかけてフェードアウト再生させ続けた後、次のコンテンツデータをフェードイン再生させることにより、現在再生中のコンテンツデータから次のコンテンツデータへの再生の切り替えを視覚的及び聴覚的に通知することができ、かくしてコンテンツデータの再生の切り替えを的確に通知することができる。【選択図】        図２
2008027538.tif 000002
【特許請求の範囲】
【請求項１】
複数のコンテンツデータが記憶されるコンテンツデータ記憶部から当該複数の上記コンテンツデータを連続的に読み出して再生する再生装置であって、
上記コンテンツデータの再生に関する命令の入力に用いられる入力部と、
上記コンテンツデータを再生する再生部と、
表示部に対し、再生中の上記コンテンツデータに関する情報を表示する表示処理部と、
上記コンテンツデータの再生中に上記入力部を介して上記再生に関する命令が入力されると、上記表示部に対し、現在再生中の上記コンテンツデータに関する上記情報から、次の上記コンテンツデータに関する上記情報へと切り替えて表示させるように上記表示処理部を制御すると共に、現在再生中の上記コンテンツデータを所定のフェードアウト再生時間をかけてフェードアウト再生させ続けた後、次の上記コンテンツデータをフェードイン再生させるように上記再生部を制御する制御部と
を具えることを特徴とする再生装置。
【請求項２】
上記制御部は、
現在再生中の上記コンテンツデータがフェードアウト再生されている間、上記表示部に対し、次の上記コンテンツデータに関する上記情報の少なくとも一部を表示させるように上記表示処理部を制御すると共に、当該次の上記コンテンツデータのフェードイン再生を開始させないように上記再生部を制御する
ことを特徴とする請求項１に記載の再生装置。
【請求項３】
上記制御部は、
現在再生中の上記コンテンツデータをフェードアウト再生させる上記フェードアウト時間に、上記表示部に対する、現在再生中の上記コンテンツデータに関する上記情報から、次の上記コンテンツデータに関する上記情報への表示の切り替えを完了させるように上記表示処理部を制御する
ことを特徴とする請求項２に記載の再生装置。
【請求項４】
上記コンテンツデータ記憶部は、
複数の上記コンテンツデータと共に、当該複数の上記コンテンツデータの中の当該コンテンツデータに基づくコンテンツの特徴部分に対応する特徴位置を示す複数の特徴位置情報を記憶し、
上記制御部は、
上記コンテンツデータの再生中に上記入力部を介して上記再生に関する命令が入力されると、現在再生中の上記コンテンツデータをフェードアウト再生させた後、次の上記コンテンツデータに対応する上記特徴位置情報に基づき、当該次の上記コンテンツデータの上記特徴位置からのフェードイン再生を開始させるように上記再生部を制御する
ことを特徴とする請求項１に記載の再生装置。
【請求項５】
上記制御部は、
現在再生中の上記コンテンツデータをフェードアウト再生させる上記フェードアウト再生時間を、次の上記コンテンツデータをフェードイン再生させるフェードイン再生時間よりも長くするように上記再生部を制御する
ことを特徴とする請求項１に記載の再生装置。
【請求項６】
上記制御部は、
上記コンテンツデータの再生中に上記入力部を介して上記再生に関する命令が入力されると、上記表示部に対する、現在再生中の上記コンテンツデータに関する上記情報の表示を徐々に消滅させながら、次の上記コンテンツデータに関する上記情報の表示を徐々に出現させるように上記表示処理部を制御する
ことを特徴とする請求項１に記載の再生装置。
【請求項７】
上記制御部は、
上記コンテンツデータの再生中に上記入力部を介して上記再生に関する命令が入力されたとき、上記表示部に対し、現在再生中の上記コンテンツデータに関する上記情報から、次の上記コンテンツデータに関する上記情報へと切り替えて表示させるように上記表示処理部を制御する
ことを特徴とする請求項１に記載の再生装置。
【請求項８】
上記コンテンツデータ記憶部は、
複数の上記コンテンツデータと共に、当該複数の上記コンテンツデータの中の当該コンテンツデータに基づくコンテンツの特徴部分に対応する特徴位置を示す複数の特徴位置情報を記憶し、
上記入力部は、
上記再生に関する命令として、上記コンテンツデータを選択する選択命令と、当該コンテンツデータの選択を決定する決定命令との入力に用いられ、
上記制御部は、
上記入力部を介して上記選択命令が入力されると、上記コンテンツデータに対応する上記特徴位置情報に基づき、当該コンテンツデータの上記特徴位置からの再生を開始させ、上記コンテンツデータの上記特徴位置からの再生中に、上記入力部を介して上記決定命令が入力されると、当該コンテンツデータの上記特徴位置からの再生を一旦停止させて先頭位置からの再生を開始させるように上記再生部を制御する
ことを特徴とする請求項１に記載の再生装置。
【請求項９】
上記コンテンツデータ記憶部は、
複数の上記コンテンツデータと共に、当該複数の上記コンテンツデータの中の当該コンテンツデータに基づくコンテンツの特徴部分に対応する特徴位置を示す複数の特徴位置情報を記憶し、
上記制御部は、
複数の上記コンテンツデータに対応する上記特徴位置情報に基づき、当該複数の上記コンテンツデータを順次上記特徴位置からフェードイン再生させると共に、当該フェードイン再生の完了から所定時間ずつ通常再生させるように上記再生部を制御する
ことを特徴とする請求項１に記載の再生装置。
【請求項１０】
上記コンテンツデータ記憶部は、
複数の上記コンテンツデータと共に、当該複数の上記コンテンツデータの中の当該コンテンツデータに基づくコンテンツの特徴部分に対応する特徴位置を示す複数の特徴位置情報を記憶し、
上記制御部は、
上記入力部を介して上記再生に関する命令が順次入力される入力間隔に応じて、現在再生中の上記コンテンツデータに対するフェードアウト再生の開始時点から、次の上記コンテンツデータのフェードイン再生の完了時点までの時間を変化させるように上記再生部を制御する
ことを特徴とする請求項１に記載の再生装置。
【請求項１１】
コンピュータに対し、
複数のコンテンツデータの中の１つの当該コンテンツデータを再生すると共に、当該再生中の上記コンテンツデータに関する情報を表示する再生表示ステップと、
上記コンテンツデータの再生中に再生に関する命令が入力されると、現在再生中の上記コンテンツデータに関する上記情報から、次の上記コンテンツデータに関する上記情報へと表示を切り替えると共に、現在再生中の上記コンテンツデータを所定のフェードアウト再生時間をかけてフェードアウト再生し続けた後、次の上記コンテンツデータをフェードイン再生する再生表示切替ステップと
を実行させるための再生プログラムを記録したコンピュータ読取可能な記録媒体。
【請求項１２】
複数のコンテンツデータの中の１つの当該コンテンツデータを再生すると共に、当該再生中の上記コンテンツデータに関する情報を表示する再生表示ステップと、
上記コンテンツデータの再生中に再生に関する命令が入力されると、現在再生中の上記コンテンツデータに関する上記情報から、次の上記コンテンツデータに関する上記情報へと表示を切り替えると共に、現在再生中の上記コンテンツデータを所定のフェードアウト再生時間をかけてフェードアウト再生し続けた後、次の上記コンテンツデータをフェードイン再生する再生表示切替ステップと
を具えることを特徴とする再生方法。
【請求項１３】
コンピュータに対し、
複数のコンテンツデータの中の１つの当該コンテンツデータを再生すると共に、当該再生中の上記コンテンツデータに関する情報を表示する再生表示ステップと、
上記コンテンツデータの再生中に再生に関する命令が入力されると、現在再生中の上記コンテンツデータに関する上記情報から、次の上記コンテンツデータに関する上記情報へと表示を切り替えると共に、現在再生中の上記コンテンツデータを所定のフェードアウト再生時間をかけてフェードアウト再生し続けた後、次の上記コンテンツデータをフェードイン再生する再生表示切替ステップと
を実行させるための再生プログラム。
【発明の詳細な説明】
【技術分野】
【０００１】
本発明は再生装置、記録媒体、再生方法及び再生プログラムに関し、例えばコンテンツデータとしての音楽データの再生順序を規定するプレイリストに従い音楽データを再生する再生装置に適用して好適なものである。
【背景技術】
【０００２】
従来の再生装置は、サーバに対し、プレイリストに従い、例えば音楽データから音楽の特徴部分に対応する区間を切り出すようにして生成された試聴音楽データを要求する。これにより再生装置は、サーバから返信された試聴音楽データを受信して再生する。また再生装置は、かかる試聴音楽データの再生が終了すると、プレイリストに従い次の試聴用データを要求する。これにより再生装置は、サーバから返信された次の試聴音楽データを受信して再生する。このようにして再生装置は、プレイリストに従い複数の試聴音楽データに基づく試聴音楽を連続してユーザに試聴させていた（例えば、特許文献１参照）。
【特許文献１】特開２００３−１６２２８５公報（第２７頁、第２８頁、図４９）
【発明の開示】
【発明が解決しようとする課題】
【０００３】
ところで、かかる構成の再生装置は、プレイリストに従い複数の試聴音楽データを連続して再生する場合、再生が前後する試聴音楽データの間にホワイトノイズを挿入して聴かせることで、かかるホワイトノイズにより試聴音楽データの再生の切り替えを通知していた。ところが再生装置は、試聴音楽データにノイズが生じていると、かかる試聴音楽データの再生中に、そのノイズが試聴音楽データの再生の切り替えと誤認識される可能性がある。このため再生装置では、未だ試聴音楽データの再生の切り替えを的確に通知し得るとはいい難い問題があった。
【０００４】
本発明は以上の点を考慮してなされたもので、コンテンツデータの再生の切り替えを的確に通知し得る再生装置、記録媒体、再生方法及び再生プログラムを提案しようとするものである。
【課題を解決するための手段】
【０００５】
かかる課題を解決するため本発明においては、複数のコンテンツデータが記憶されるコンテンツデータ記憶部から当該複数のコンテンツデータを連続的に読み出して再生する再生装置において、制御部が、コンテンツデータの再生中に入力部を介してコンテンツデータの再生に関する命令が入力されると、表示部に対し、再生中のコンテンツデータに関する情報を表示する表示処理部を制御して、当該表示部に対し、現在再生中のコンテンツデータに関する情報から、次のコンテンツデータに関する情報へと切り替えて表示させると共に、コンテンツデータを再生する再生部を制御して、現在再生中のコンテンツデータを所定のフェードアウト再生時間をかけてフェードアウト再生させ続けた後、次のコンテンツデータをフェードイン再生させるようにした。
【０００６】
従って本発明では、現在再生中のコンテンツデータから次のコンテンツデータへの再生の切り替えを、表示部に対する、現在再生中のコンテンツデータに関する情報から、次のコンテンツデータに関する情報への表示の切り替えと、連続的な当該現在再生中のコンテンツデータに対するフェードアウト再生及び次のコンテンツデータに対するフェードイン再生とにより視覚的及び聴覚的に通知することができる。
【発明の効果】
【０００７】
本発明によれば、制御部が、コンテンツデータの再生中に入力部を介してコンテンツデータの再生に関する命令が入力されると、表示部に対し、再生中のコンテンツデータに関する情報を表示する表示処理部を制御して、当該表示部に対し、現在再生中のコンテンツデータに関する情報から、次のコンテンツデータに関する情報へと切り替えて表示させると共に、コンテンツデータを再生する再生部を制御して、現在再生中のコンテンツデータを所定のフェードアウト再生時間をかけてフェードアウト再生させ続けた後、次のコンテンツデータをフェードイン再生させるようにしたことにより、現在再生中のコンテンツデータから次のコンテンツデータへの再生の切り替えを、表示部に対する、現在再生中のコンテンツデータに関する情報から、次のコンテンツデータに関する情報への表示の切り替えと、連続的な当該現在再生中のコンテンツデータに対するフェードアウト再生及び次のコンテンツデータに対するフェードイン再生とにより視覚的及び聴覚的に通知することができ、かくしてコンテンツデータの再生の切り替えを的確に通知し得る再生装置、記録媒体、再生方法及び再生プログラムを実現することができる。
【発明を実施するための最良の形態】
【０００８】
以下図面について、本発明の一実施の形態を詳述する。
【０００９】
（１）第１の実施の形態
（１−１）第１の実施の形態による再生装置の概要
図１において、１は全体として第１の実施の形態による再生装置の構成の概要を示す。再生装置１は、複数のコンテンツデータが記憶される図示しないコンテンツデータ記憶部から複数のコンテンツデータを連続的に読み出して再生し得るようになされている。このような再生装置１において入力部２は、コンテンツデータの再生に関する命令の入力に用いられる。また再生装置１において再生部３は、コンテンツデータを再生する。さらに再生装置１において表示処理部４は、図示しない表示部に対し、再生中のコンテンツデータに関する情報を表示する。そして再生装置１において制御部５は、コンテンツデータの再生中に入力部２を介して再生に関する命令が入力されると、表示部に対し、現在再生中のコンテンツデータに関する情報から、次のコンテンツデータに関する情報へと切り替えて表示させるように表示処理部４を制御すると共に、現在再生中のコンテンツデータを所定のフェードアウト再生時間フェードアウト再生させ続けた後、次のコンテンツデータをフェードイン再生させるように再生部３を制御する。かかる構成により再生装置１は、現在再生中のコンテンツデータから次のコンテンツデータへの再生の切り替えを、表示部に対する、現在再生中のコンテンツデータに関する情報から、次のコンテンツデータに関する情報への表示の切り替えと、連続的な当該現在再生中のコンテンツデータに対するフェードアウト再生及び次のコンテンツデータに対するフェードイン再生とにより視覚的及び聴覚的に通知することができ、かくしてコンテンツデータの再生の切り替えを的確に通知することができる。
【００１０】
（１−２）第１の実施の形態による再生装置の詳細構成
次いで図２を用いて、再生装置１０の機能回路ブロックによる詳細なハードウェア構成を説明する。かかる再生装置１０は、制御部１１が入力部１２を介して入力される各種命令に応じて装置全体を制御すると共に、各種処理を実行する。これにより制御部１１は、再生部１３によりＣＤ（Compact Disc）等の記録媒体から音楽データを再生する媒体再生機能や、その記録媒体に記録されている音楽データを録音する録音機能、プレイリストを利用した音楽データの再生機能（以下、これをリスト利用再生機能と呼ぶ）等の各種機能を実現し得るようになされている。
【００１１】
ここで再生装置１０の入力部１２は、例えば図３に示すような直方体状のリモートコントローラＲＭを有している。かかるリモートコントローラＲＭの正面一端側には、再生装置１０の電源をオン／オフするためのトグル式の電源ボタンＲＭＡと、再生中の音楽の音量を調節するための音量調節ボタンＲＭＢとが配置されている。またリモートコントローラＲＭの正面中央部には、上述した各種機能を切り替えて選択させるためのトグル式の機能選択ボタンＲＭＣと、各種設定項目を呼び出すための設定ボタンＲＭＤとが配置されている。これに加えてリモートコントローラＲＭの正面中央部には、それぞれ頂点を一端側及び他端側に向けた三角形状を有し、表示画面上で上方向及び下方向を選択させるための上方向選択ボタンＲＭＥ及び下方向選択ボタンＲＭＦと、それぞれ頂点を左側及び右側に向けた三角形状を有し、当該表示画面上で左方向及び右方向を選択させるための左方向選択ボタンＲＭＧ及び右方向選択ボタンＲＭＨと、例えば表示画面上で種々の選択を決定するための決定ボタンＲＭＩとが配置されている。
【００１２】
さらにリモートコントローラＲＭの正面他端寄りには、音楽データの再生を制御するための再生開始ボタンＲＭＪ、再生停止ボタンＲＭＫ、早送ボタンＲＭＬ、巻戻ボタンＲＭＭ、曲送ボタンＲＭＮ、曲戻ボタンＲＭＯ及び一時停止ボタンＲＭＰが配置されている。従って再生装置１０では、ユーザに対し、入力部１２のリモートコントローラＲＭにおいて機能選択ボタンＲＭＣを押下操作させる簡易な操作で、上述した各種機能を容易に選択させ得るようになされている。
【００１３】
すなわち制御部１１は、ユーザによる入力部１２（すなわち、リモートコントローラＲＭ）の操作に応じて媒体再生機能選択命令が入力されると、媒体再生機能を起動する。そして制御部１１は、再生部１３により、再生装置１０に装填された記録媒体から、これに記録されている音楽データを再生させて音楽として出力させる。これにより制御部１１は、ユーザに対し再生した音楽データに基づく音楽を聴かせることができる。
【００１４】
また制御部１１は、ユーザによる入力部１２（すなわち、リモートコントローラＲＭ）の操作に応じて録音機能選択命令が入力されると、録音機能を起動する。そして制御部１１は、再生部１３により記録媒体から音楽データを読み出させて所定の圧縮符号化方式で圧縮符号化させた後、コンテンツデータ記憶部１４に送出する。これにより制御部１１は、コンテンツデータ記憶部１４に対し、ＡＴＲＡＣ３（Adaptive Transform Acoustic Coding 3）、ＡＡＣ（Advanced Audio Coding ）、ＷＭＡ（Windows （登録商標）Media Audio ）、ＲｅａｌＡＵＤＩＯ  Ｇ２  Ｍｕｓｉｃ  Ｃｏｄｅｃ、ＭＰ３（MPEG Audio Layer-3）フォーマット等の音楽データを記憶する。
【００１５】
これに加えて制御部１１は、ユーザによる入力部１２の操作に応じて、音楽データを取得するように要求する取得要求命令が入力されると、通信部１５を介してネットワークＮＴ上の外部装置１６にアクセスし、音楽データの配信を要求する。その結果、制御部１１は、外部装置１１６から送信された音楽データを、通信部１５を介してダウンロードしてコンテンツデータ記憶部１４に送出する。これにより制御部１１は、コンテンツデータ記憶部１４に対し、外部装置１６からダウンロードした音楽データを記憶する。
【００１６】
ここで図４に示すように、制御部１１は、コンテンツデータ記憶部１４において音楽データ管理用のデータベース（以下、これをコンテンツデータベースと呼ぶ）ＣＤＢを構築している。そして制御部１１は、コンテンツデータ記憶部１４のコンテンツデータベースＣＤＢに対し、上述した録音機能の実行により記録媒体から読み出した音楽データＤ１や外部装置１６からダウンロードした音楽データＤ１を、それぞれ音楽データＤ１に関連する関連情報（以下、これをデータ関連情報と呼ぶ）ＤＲＥと共に音楽データ管理情報ＣＡとして記憶している。この場合、データ関連情報ＤＲＥは、対応する音楽データＤ１の属性情報（以下、これをデータ属性情報と呼ぶ）ＤＡＴと、その音楽データＤ１の中の、当該音楽データＤ１に基づく音楽の例えば「さび」と呼ばれる特徴部分に対応する位置（例えば、「さび」の始まりに対応する位置であり、以下これを特徴位置と呼ぶ）を示す特徴位置情報ＳＰとを有している。
【００１７】
そして、かかるデータ属性情報ＤＡＴは、対応する音楽データＤ１に基づく音楽のタイトル（以下、これを音楽タイトルと呼ぶ）、アーティストの名称（以下、これをアーティスト名と呼ぶ）、音楽の属するジャンルの名称（以下、これをジャンル名と呼ぶ）を含んでいる。またデータ属性情報ＤＡＴは、対応する音楽データＤ１の記憶日時、当該音楽データＤ１全体の再生時間等を示す各種情報、その音楽データＤ１の収録されたアルバムのジャケット写真の画像データ（以下、これをジャケット写真画像データと呼ぶ）等も含んでいる。因みにデータ属性情報ＤＡＴは、記録媒体からの音楽データＤ１の録音時に外部の情報提供装置（図示せず）からダウンロードされ、また外部装置１６から音楽データＤ１と共にダウンロードされている。
【００１８】
これに加えて制御部１１は、コンテンツデータ記憶部１４に対し、それぞれ複数の音楽データＤ１の再生順序を規定する複数種類のプレイリストＰＬを記憶している。また制御部１１は、コンテンツデータ記憶部１４に対し、例えばラジオ放送局を選局するためのチャンネルのように、それぞれ１つのプレイリストＰＬを割り当てた複数のチャンネルをリスト化して示すチャンネルリストＣＬも記憶している。因みに、かかるチャンネルリストＣＬには、複数のチャンネルそれぞれを個別に識別可能な識別情報としてのチャンネル番号ＣＮが、所定の順番（例えば、チャンネル番号ＣＮが順次大きくなるような順番）に並べて格納されている。
【００１９】
この場合、プレイリストＰＬは、当該プレイリストＰＬの属性情報（以下、これをリスト属性情報と呼ぶ）ＬＡＴを有している。またプレイリストＰＬは、当該プレイリストＰＬに複数の音楽データＤ１を登録するための複数の音楽登録情報ＴＲが、これら複数の音楽データＤ１の任意に選定された再生順序に従って並べて格納されている。
【００２０】
そしてリスト属性情報ＬＡＴには、対応するプレイリストＰＬの割り当てられたチャンネルのチャンネル番号ＣＮを示すチャンネル割当情報ＣＨＡと、当該対応するプレイリストＰＬの名称（以下、これをリスト名と呼ぶ）を示すリスト名情報ＬＮとが含まれている。因みにリスト名は、プレイリストＰＬが割り当てられたチャンネルの名称にもなるものである。またリスト属性情報ＬＡＴには、対応するプレイリストＰＬの構成に対する具体的な説明文のテキストデータ等からなるリスト詳細情報ＬＤも含まれている。
【００２１】
さらにリスト属性情報ＬＡＴには、対応するプレイリストＰＬに登録された複数の音楽データＤ１を、予め規定された再生順序に従い再生する規定順序再生形態と、当該複数の音楽データＤ１を予め規定された再生順序を無作為に並べ替えた他の順序で再生するシャッフル再生形態との何れの再生形態で再生するかを示す再生形態情報ＰＭも含まれている。因みに、かかる再生形態は、例えばユーザに対し適宜選定させ得るようになされている。さらにリスト属性情報ＬＡＴには、対応するプレイリストＰＬを音楽データＤ１の再生に利用するか否かを示す再生利用設定情報ＬＳも含まれている。因みにプレイリストＰＬに対する音楽データＤ１の再生への利用の有無については、例えばユーザに対し任意に選定させ得るようになされている。
【００２２】
一方、プレイリストＰＬに格納された音楽登録情報ＴＲは、当該プレイリストＰＬに登録された音楽データＤ１毎に生成されている。そして音楽登録情報ＴＲには、プレイリストＰＬに登録された音楽データＤ１の再生の有無を示す再生設定情報ＰＳが含まれている。因みにプレイリストＰＬに登録されている個々の音楽データＤ１に対する再生の有無については、例えばユーザに対し任意に選定させ得るようになされている。また音楽登録情報ＴＲには、プレイリストＰＬに登録された音楽データＤ１の記憶場所（すなわち、コンテンツデータ記憶部１４での記憶アドレス）のように当該音楽データＤ１を再生可能なように識別して指示する情報（以下、これをコンテンツ指示情報と呼ぶ）ＭＩＤも含まれている。
【００２３】
因みにプレイリストＰＬの例えばリスト詳細情報ＬＤには、当該プレイリストＰＬに登録されている音楽データＤ１のうち、再生するように設定されている音楽データＤ１の総数を示す情報（以下、これを再生可能データ数と呼ぶ）も含まれている。そしてかかる再生可能データ数については、プレイリストＰＬに登録されている音楽データＤ１に対する再生の有無の設定が変更されると、これに応じて更新されるものである。
【００２４】
ところで、かかる構成のプレイリストＰＬとしては、コンテンツデータ記憶部１４のコンテンツデータベースＣＤＢに新たな音楽データＤ１が記憶される毎に、その音楽データＤ１を自動的に登録するようにして、適宜登録内容を更新するものがある。またプレイリストＰＬとしては、任意に選定された音楽の印象や音楽のイメージ、アーティスト、ジャンルをキーワードとして検索した音楽データＤ１を登録して生成されたものもある。さらにプレイリストＰＬとしては、コンテンツデータベースＣＤＢに記憶された全ての音楽データＤ１の中から、音楽データＤ１毎の再生回数を示すデータ再生履歴に基づき、例えば再生回数の最も多いものから順次再生回数の少ないものまでの予め選定された所定個数の音楽データＤ１を自動的に登録するようにして、その登録内容を適宜更新するものもある。
【００２５】
このため制御部１１は、ユーザに対しこれら種々のプレイリストＰＬの中からチャンネルとして所望のプレイリストＰＬを選択させるようにしている。そして制御部１１は、ユーザにより選択されたプレイリストＰＬに従い、コンテンツデータ記憶部１４から当該プレイリストＰＬ１に登録されている複数の音楽データＤ１を順次読み出すと共に、当該読み出した音楽データＤ１を再生部１３により再生する。これにより制御部１１は、ユーザに対し好みの印象や好みのイメージに近い複数の音楽、また好みのアーティストやジャンル等の複数の音楽を連続して聴かせることができるようになされている。
【００２６】
すなわち、制御部１１は、ユーザによる入力部１２（すなわち、リモートコントローラＲＭ）の操作に応じてリスト利用再生機能選択命令が入力されると、これに応じてリスト利用再生機能を起動する。因みに制御部１１は、再生装置１０の動作停止状態（すなわち、電源がオフの状態）で入力部１２を介してリスト利用再生機能が選択されると、これに応じて再生装置１０が起動する（すなわち、電源がオンの状態になる）ことにより、その起動に合わせてリスト利用再生機能を起動する。また制御部１１は、他の機能が実行されている状態で入力部１２を介してリスト利用再生機能が選択されると、これに応じて当該他の機能から切り替えてリスト利用再生機能を起動する。
【００２７】
ところで制御部１１は、リスト利用再生機能を終了する毎に、当該リスト利用再生機能の終了時に（すなわち、最後に）ユーザにより選択されていたチャンネルのチャンネル番号ＣＮを順次更新して保持している。また制御部１１は、リスト利用再生機能の起動初期の（すなわち、最初の）選択用として予め選定されたチャンネルのチャンネル番号ＣＮも保持している。そして制御部１１は、リスト利用再生機能の起動初期には、前回のリスト利用再生機能の終了時に選択されていたチャンネルと、予め選定されたチャンネルとの何れか一方を自動的に選択するように設定されている。
【００２８】
すなわち制御部１１は、かかる設定の内容に応じて、前回のリスト利用再生機能の終了時に選択されていたチャンネルのチャンネル番号ＣＮと、予め選定されたチャンネルのチャンネル番号ＣＮとの何れか一方を、リスト利用再生機能を起動する毎に自動的に選択するチャンネルのチャンネル番号ＣＮ（以下、これを起動初期使用チャンネル番号と呼ぶ）としている。従って制御部１１は、リスト利用再生機能を起動すると、起動初期使用チャンネル番号に従いチャンネルを自動的に選択するようにして、コンテンツデータ記憶部１４から、チャンネルリストＣＬと共に、当該自動的に選択したチャンネルに割り当てられたプレイリストＰＬを読み出す。
【００２９】
そして制御部１１は、プレイリストＰＬに格納されている音楽登録情報ＴＲ内のコンテンツ指示情報ＭＩＤに従い、対応する音楽データＤ１及びデータ関連情報ＤＲＥをコンテンツデータ記憶部１４から読み出すと共に、当該読み出した音楽データＤ１をデータ関連情報ＤＲＥに含まれる特徴位置情報ＳＰと共に再生部１３に送出する。これにより再生部１３は、特徴位置情報ＳＰに従い、音楽データＤ１に対する特徴位置からの再生を開始して、ユーザに対し音楽を特徴部分の頭から聴かせる。
【００３０】
また制御部１１は、音楽データＤ１に対する特徴位置からの再生途中（すなわち、音楽データＤ１に対する特徴位置から後尾位置までの間の再生途中）に、ユーザにより入力部１２を介して、チャンネルを切り替えるチャンネル切替命令が入力されると、現在選択されているチャンネルのチャンネル番号ＣＮと、チャンネルリストＣＬに格納されているチャンネル番号ＣＮの並びとに従って、切替後のチャンネルを判別する。そして制御部１１は、コンテンツデータ記憶部１４から、切替後のチャンネルに割り当てられたプレイリストＰＬを読み出すと共に、そのプレイリストＰＬに従い音楽データＤ１及びデータ関連情報ＤＲＥを読み出し、当該読み出した音楽データＤ１をデータ関連情報ＤＲＥに含まれる特徴位置情報ＳＰと共に再生部１３に送出する。これにより再生部１３は、その時点の音楽データＤ１の再生を停止すると共に、上述と同様に、制御部１１から与えられた新たな音楽データＤ１に対する特徴位置からの再生を開始する。
【００３１】
このようにして制御部１１は、ユーザによりチャンネルの切り替えが要求される毎（すなわち、チャンネル切替命令が入力される毎）に、切替後のチャンネルに割り当てられたプレイリストＰＬに従い、これに登録されている音楽データＤ１を特徴位置から再生する。これにより制御部１１は、ユーザに対し、プレイリストＰＬに従い再生可能な（すなわち、登録されている）音楽データＤ１に基づく音楽を特徴部分の頭から実際に試聴させて、音楽データＤ１の再生に使用するプレイリストＰＬを選択させることができる。
【００３２】
さらに制御部１１は、音楽データＤ１に対する特徴位置からの再生途中に、ユーザにより入力部１２を介して、再生する音楽データＤ１を切り替える再生音楽切替命令が入力されると、現在選択されているプレイリストＰＬに従い、上述と同様にコンテンツデータ記憶部１４から新たな音楽データＤ１及びデータ関連情報ＤＲＥを読み出すと共に、当該読み出した音楽データＤ１をデータ関連情報ＤＲＥに含まれる特徴位置情報ＳＰと共に再生部１３に送出する。これにより再生部１３は、その時点の音楽データＤ１の再生を停止すると共に、制御部１１から与えられた新たな音楽データＤ１に対する特徴位置からの再生を開始する。
【００３３】
このようにして制御部１１は、ユーザにより音楽データＤ１の切り替えが要求される毎（すなわち、再生音楽切替命令が入力される毎）に、切替後の音楽データＤ１を特徴位置から再生する。これにより制御部１１は、ユーザに対し、プレイリストＰＬに従い再生可能な（すなわち、登録されている）音楽データＤ１に基づく音楽を特徴部分の頭から実際に試聴させて、当該プレイリストＰＬに従い再生可能な複数の音楽データＤ１の中から、所望の音楽データＤ１を選択（すなわち、検索）させることができる。
【００３４】
そして制御部１１は、音楽データＤ１に対する特徴位置からの再生途中に、ユーザにより入力部１２を介して、当該再生中の音楽データＤ１を所望の音楽データＤ１として選択決定する音楽選択決定命令が入力されると、その音楽選択決定命令に応じて再生部１３を制御する。これにより再生部１３は、その時点の音楽データＤ１に対する再生（すなわち、特徴位置から開始していた再生）を一旦停止すると共に、改めてその音楽データＤ１に対する先頭位置からの再生を開始する。このようにして制御部１１は、ユーザにより所望の音楽データＤ１が選択されると、これに応じて当該所望の音楽データＤ１に基づく音楽の全体を聴取させることができる。
【００３５】
さらにまた制御部１１は、音楽データＤ１に対する特徴位置からの再生途中に、ユーザによりチャンネルの切り替えや音楽データＤ１の切り替えが何ら要求されず、再生部１３により、その音楽データＤ１が後尾位置まで再生され当該音楽データＤ１の再生が終了すると、現在選択されているプレイリストＰＬに従い、その時点に再生の終了した音楽データＤ１の次に再生する音楽データＤ１と、これに対応するデータ関連情報ＤＲＥとをコンテンツデータ記憶部１４から読み出す。そして制御部１１は、その音楽データＤ１を再生部１３に送出する。これにより再生部１３は、その時点に再生の終了した音楽データＤ１に引き続き、制御部１１から与えられた次の音楽データＤ１に対する先頭位置からの再生を開始する。
【００３６】
このようにして制御部１１は、特徴位置から再生を開始した音楽データＤ１を後尾位置まで再生して、当該音楽データＤ１の再生が終了すると、ユーザにより、プレイリストＰＬに登録されている複数の音楽データＤ１に基づく複数の音楽を聴取するように要求されたものとみなす。そして制御部１１は、現在選択されているプレイリストＰＬに従い再生部１３により複数の音楽データＤ１の全体を順次再生して複数の音楽の全体を連続して聴取させることができる。
【００３７】
因みに制御部１１は、音楽データＤ１に対する先頭位置からの再生途中（すなわち、音楽データＤ１に対する先頭位置から後尾位置までの間の再生途中）に、ユーザにより入力部１２を介して再生音楽切替命令が入力されると、現在選択されているプレイリストＰＬに従い、上述と同様にコンテンツデータ記憶部１４から新たな音楽データＤ１及びデータ関連情報ＤＲＥを読み出すと共に、当該読み出した音楽データＤ１をデータ関連情報ＤＲＥに含まれる特徴位置情報ＳＰと共に再生部１３に送出する。これにより再生部１３は、その時点の音楽データＤ１の再生を停止すると共に、制御部１１から与えられた新たな音楽データＤ１に対する特徴位置からの再生を開始する。
【００３８】
このようにして制御部１１は、ユーザにより選択された音楽データＤ１を再生しても、新たに所望の音楽データＤ１を検索するように要求されると、これに応じて、かかる再生を中断する。そして制御部１１は、上述と同様にユーザに対し、現在選択されているプレイリストＰＬに従い新たな音楽を特徴部分の頭から実際に試聴させて、所望の音楽データＤ１を改めて選択（すなわち、検索）させることができる。
【００３９】
また制御部１１は、音楽データＤ１に対する先頭位置からの再生途中に、ユーザにより入力部１２を介してチャンネル切替命令が入力されると、現在選択されているチャンネルのチャンネル番号ＣＮと、チャンネルリストＣＬに格納されているチャンネル番号ＣＮの並びとに従って、切替後のチャンネルを判別する。そして制御部１１は、コンテンツデータ記憶部１４から、切替後のチャンネルに割り当てられたプレイリストＰＬを読み出すと共に、上述と同様に、そのプレイリストＰＬに従い音楽データＤ１及びデータ関連情報ＤＲＥを読み出し、当該読み出した音楽データＤ１をデータ関連情報ＤＲＥに含まれる特徴位置情報ＳＰと共に再生部１３に送出する。これにより再生部１３は、その時点の音楽データＤ１の再生を停止すると共に、制御部１１から与えられた新たな音楽データＤ１に対する特徴位置からの再生を開始する。
【００４０】
このようにして制御部１１は、ユーザにより選択されたプレイリストＰＬに従い複数の音楽データＤ１を再生していても、音楽データＤ１の再生に使用するプレイリストＰＬ１を切り替えるように要求されると（すなわち、チャンネル切替命令が入力されると）、これに応じて、かかる再生を中断する。そして制御部１１は、上述と同様にユーザに対し、その時点まで音楽データＤ１の再生に使用していたプレイリストＰＬとは異なる他のプレイリストＰＬに従い音楽を特徴部分の頭から実際に試聴させて、音楽データＤ１の再生に使用する新たなプレイリストＰＬを選択させることができる。
【００４１】
ところで制御部１１は、リスト利用再生機能を起動すると、その時点にコンテンツデータ記憶部１４から読み出しているチャンネルリストＣＬ、プレイリストＰＬに格納されているリスト属性情報ＬＡＴ、データ関連情報ＤＲＥに含まれるデータ属性情報ＤＡＴに基づき、チャンネル及び音楽データＤ１を選択させるための選択画面データを生成する。そして制御部１１は、かかる選択画面データを表示処理部１７に送出する。これにより表示処理部１７は、表示部１８に対し選択画面データに基づく図５に示すような選択画面２０を表示する。
【００４２】
この場合、選択画面２０は、画面左側に、上下方向に長いチャンネル選択領域２１が設けられると共に、残りの画面左側に音楽選択領域２２が設けられている。そしてチャンネル選択領域２１の中央部には、現在選択中のチャンネルをチャンネル番号ＣＮによって通知するための選択チャンネル通知表示子（以下、この表示子をアイコンと呼ぶ）２３が表示されている。またチャンネル選択領域２１の上側及び下側には、チャンネルリストＣＬに格納されているチャンネル番号ＣＮの並びに従い、現在選択中のチャンネルから切り替えて選択可能なチャンネルを、チャンネル番号ＣＮによって通知するための選択可能チャンネル通知アイコン２４及び２５が表示されている。
【００４３】
そしてチャンネル選択領域２１には、上側に表示された選択可能チャンネル通知アイコン２４のさらに上側に、例えば頂点を上側に向けた三角形状の第１のマークＭ１が表示されている。これにより選択画面２０は、例えばリモートコントローラＲＭにおいて、第１のマークＭ１と形状及び向きが同一な上方向選択ボタンＲＭＥを押下操作すれば、チャンネル選択領域２１の中央部に表示される選択チャンネル通知アイコン２３が示すチャンネル番号ＣＮを、チャンネルリストＣＬに格納されているチャンネル番号ＣＮの並びに従い順次小さいチャンネル番号ＣＮに切り替えるようにして、所望のチャンネルが選択し得ることを直感的に認識させ得るようになされている。
【００４４】
またチャンネル選択領域２１には、下側に表示された選択可能チャンネル通知アイコン２５のさらに下側に、例えば頂点を下側に向けた三角形状の第２のマークＭ２が表示されている。これにより選択画面２０は、例えばリモートコントローラＲＭにおいて、第２のマークＭ２と形状及び向きが同一な下方向選択ボタンＲＭＦを押下操作すれば、チャンネル選択領域２１の中央部に表示される選択チャンネル通知アイコン２３が示すチャンネル番号ＣＮを、チャンネルリストＣＬに格納されているチャンネル番号ＣＮの並びに従い順次大きいチャンネル番号ＣＮに切り替えるようにして、所望のチャンネルが選択し得ることを直感的に認識させ得るようになされている。
【００４５】
一方、音楽選択領域２２には、その左側に、現在選択中のチャンネルに割り当てられたプレイリストＰＬのリスト名２６と、当該プレイリストＰＬの構成に対する具体的な説明文２７（すなわち、上述したリスト詳細情報ＬＤとしてのテキストデータに基づく説明文）とが表示されている。また音楽選択領域２２には、現在再生中の音楽データＤ１に関する情報として、右側にジャケット写真画像２９が表示されると共に、そのジャケット写真画像２９の下側に音楽タイトル３０及びアーティスト名３１が表示されている。
【００４６】
これに加えて音楽選択領域２２には、ジャケット写真画像２９の左側に、例えば頂点を左側に向けた三角形状の第３のマークＭ３が表示されている。これにより選択画面２０は、例えばリモートコントローラＲＭにおいて、第３のマークＭ３と形状及び向きが同一な左方向選択ボタンＲＭＧを押下操作すれば、音楽選択領域２２において、現在再生中の音楽データＤ１をプレイリストＰＬに従い１つ前に再生する音楽データＤ１に戻すように切り替えて、所望の音楽データＤ１が選択し得ることを直感的に認識させ得るようになされている。
【００４７】
また音楽選択領域２２には、ジャケット写真画像２９の右側に、例えば頂点を右側に向けた三角形状の第４のマークＭ４が表示されている。これにより選択画面２０は、例えばリモートコントローラＲＭにおいて、第４のマークＭ４と形状及び向きが同一な右方向選択ボタンＲＭＨを押下操作すれば、音楽選択領域２２において、現在再生中の音楽データＤ１をプレイリストＰＬに従い１つ後に再生する（すなわち、次に再生する）音楽データＤ１に送るように切り替えて、所望の音楽データＤ１が選択し得ることを直感的に認識させ得るようになされている。
【００４８】
このようにチャンネルの切り替えについては、チャンネルリストＣＬに格納されているチャンネル番号ＣＮの並びに沿った切替方向がある。このため制御部１１は、表示処理部１７により表示部１８に選択画面２０が表示された状態で、リモートコントローラＲＭの上方向選択ボタンＲＭＥ及び下方向選択ボタンＲＭＦが押下操作されチャンネル切替命令が入力されると、チャンネルリストＣＬと、現在選択中のチャンネルのチャンネル番号ＣＮと、そのとき押下操作された上方向選択ボタンＲＭＥ及び下方向選択ボタンＲＭＦに応じた切替方向とに基づいて、切替後のチャンネルを判別する。因みに制御部１１は、この際、チャンネルリストＣＬに登録されている複数のチャンネル番号ＣＮを、これらの先頭と後尾とを繋げた環のように扱うことにより、チャンネルを循環的に切り替えるようになされている。
【００４９】
そして制御部１１は、判別したチャンネルに応じて、コンテンツデータ記憶部１４から新たにプレイリストＰＬやデータ属性情報ＤＡＴを読み出すと、これらに基づき、新たな選択画面データを生成して表示処理部１７に送出する。これにより表示処理部１７は、制御部１１から与えられた選択画面データに基づき選択画面２０の表示内容を更新する。このようにして制御部１１は、ユーザに対し音楽データＤ１に基づく音楽を特徴部分の頭から実際に試聴させつつ、選択画面２０の選択チャンネル通知アイコン２３やリスト名２６等も目視確認させて、音楽データＤ１の再生に使用する所望のプレイリストＰＬを選択させることができる。
【００５０】
また再生する音楽データＤ１の切り替えについてもプレイリストＰＬに従った音楽データＤ１の再生の順序に沿う切替方向がある。このため制御部１１は、表示処理部１７により表示部１８に選択画面２０が表示された状態で、リモートコントローラＲＭの左方向選択ボタンＲＭＧ及び右方向選択ボタンＲＭＨが押下操作され再生音楽切替命令が入力されると、プレイリストＰＬ１により規定された音楽データＤ１の再生順序（すなわち、かかる再生順序しては、規定順序再生形態とランダム再生形態との何れか一方である）と、そのとき押下操作された左方向選択ボタンＲＭＧ及び右方向選択ボタンＲＭＨに応じた切替方向とに基づいて、切替後の音楽データＤ１を判別する。因みに制御部１１は、この際、プレイリストＰＬにより再生順序の規定された複数の音楽データＤ１に対応するコンテンツ指示情報ＭＩＤを、これらの先頭と後尾とを繋げた環のように扱うことにより、音楽データＤ１を循環的に切り替えるようになされている。
【００５１】
そして制御部１１は、判別した音楽データＤ１に応じて、コンテンツデータ記憶部１４５から新たにデータ関連情報ＤＲＥを読み出すと、そのデータ関連情報ＤＲＥに含まれるデータ属性情報ＤＡＴを用いて新たな選択画面データを生成して表示処理部１７に送出する。これにより表示処理部１７は、制御部１１から与えられた選択画面データに基づき選択画面２０の表示内容（すなわち、ジャケット写真画像２９や音楽タイトル３０、アーティスト名３１）を更新する。このようにして制御部１１は、ユーザに対し音楽データＤ１に基づく音楽を特徴部分の頭から実際に試聴させつつ、選択画面２０の音楽タイトル３０やアーティスト名３１等も目視確認させて、所望の音楽データＤ１を選択させることができる。
【００５２】
また制御部１１は、表示処理部１７により表示部１８に対し選択画面２０が表示されている状態で、リモートコントローラＲＭの決定ボタンＲＭＩが押下操作され音楽選択決定命令が入力されると、このとき選択されているプレイリストＰＬと、再生中の音楽データＤ１に対応するデータ属性情報ＤＡＴとに基づき、再生中の音楽データＤ１を通知するための再生画面データを生成する。そして制御部１１は、かかる再生画面データを表示処理部１７に送出する。これにより表示処理部１７は、表示部１８に対し選択画面２０に替えて再生画面データに基づく図６に示すような再生画面４０を表示する。
【００５３】
この場合、再生画面４０は、画面左側に選択チャンネル通知領域４１が設けられると共に、残りの画面左側に再生音楽通知領域４２が設けられている。そして選択チャンネル通知領域４１には、現在選択中のチャンネルをチャンネル番号ＣＮとして通知するための選択チャンネル通知アイコン４３が表示されている。また再生音楽通知領域４２には、その左側に、現在選択中のチャンネルに割り当てられたプレイリストＰＬのリスト名４４が表示されている。さらに再生音楽通知領域４２には、現在再生中の音楽データＤ１に関する情報として、音楽タイトル４５やアーティスト名４６、ジャケット写真画像４７が表示されている。
【００５４】
そして制御部１１は、表示処理部１７により表示部１８に対し再生画面４０が表示されている状態で、プレイリストＰＬに従い新たに音楽データＤ１がその先頭位置から再生されると、その音楽データＤ１に対応するデータ属性情報ＤＡＴを用いて新たな再生画面データを生成して表示処理部１７に送出する。これにより表示処理部１７は、再生画面４０の表示内容（すなわち、ジャケット写真画像４７や音楽タイトル４５、アーティスト名４６）を更新する。このようにして制御部１１は、再生する音楽データＤ１を切り替えたときには、再生画面４０の音楽タイトル３０やアーティスト名３１等により、現在再生中の新たな音楽データＤ１を通知することができる。
【００５５】
因みに制御部１１は、表示処理部１７により表示部１８に対し再生画面４０が表示されている状態で、ユーザによりチャンネルや音楽データＤ１を切り替えるように要求されると（すなわち、チャンネル切替命令や再生音楽切替命令が入力されると）、これに応じて上述と同様に選択画面データを生成して表示処理部１７に送出する。従って表示処理部１７は、このとき表示部１８に対し再生画面４０から選択画面２０へと表示を切り替える。
【００５６】
すなわち図７に示すように、制御部１１は、リスト利用再生機能を起動すると、音楽データＤ１を特徴位置から再生する再生制限モードに移行する。そして制御部１１は、このとき表示部１８に対し選択画面２０を表示させるように表示処理部１７を制御する。この状態で制御部１１は、ユーザにより、チャンネルや音楽データＤ１の切り替えが要求されると、その都度、新たな音楽データＤ１に対する特徴位置からの再生を開始させるように再生部１３を制御して、ユーザに対し音楽を特徴部分の頭から試聴させる。また制御部１１は、チャンネルの切り替えや音楽データＤ１の切り替えに応じて、表示部１８に表示された選択画面２０の表示内容を更新させる（すなわち、プレイリストＰＬに関する情報や音楽データＤ１に関する情報を更新させる）ように表示処理部１７を制御する。
【００５７】
ところで制御部１１は、再生制限モードにおいて、音楽データＤ１が選択決定され（すなわち、音楽選択決定命令が入力され）、また音楽データＤ１に対する特徴位置からの再生が終了する（すなわち、後尾位置まで再生する）と、再生制限モードから再生制限を解除する制限解除モードへ移行する。これにより制御部１１は、選択された音楽データＤ１や新たな音楽データＤ１に対する先頭位置からの再生を開始させるように再生部１３を制御して、ユーザに対し音楽を先頭から聴取させる。また制御部１１は、このとき表示部１８に対し選択画面２０から再生画面４０へと切り替えて表示させるように表示処理部１７を制御する。
【００５８】
そして制御部１１は、制限解除モードにおいて、音楽データＤ１に対する先頭位置からの再生が終了する（すなわち、後尾位置まで再生する）と、新たな音楽データＤ１に対する先頭位置からの再生を開始させるように再生部１３を制御して、ユーザに対し新たな音楽を先頭から聴取させる。また制御部１１は、このとき表示部１８に表示させた再生画面４０の表示内容を更新させる（すなわち、音楽データＤ１に関する情報を更新させる）ように表示処理部１７を制御する。
【００５９】
ところで制御部１１は、制限解除モードにおいて、ユーザによりチャンネルや音楽データＤ１の切り替えが要求されると、制限解除モードから再生制限モードへ移行する。これにより制御部１１は、新たな音楽データＤ１に対する特徴位置からの再生を開始させるように再生部１３を制御して、ユーザに対し音楽を特徴部分の頭から試聴させる。また制御部１１は、このとき表示部１８に対し再生画面４０から選択画面２０へと切り替えて表示させるように表示処理部１７を制御する。
【００６０】
このようにして図８に示すように、制御部１１は、リスト利用再生機能を実行している間は、ユーザに対しあたかもラジオ放送の受信中にチャンネルを切り替えてラジオ放送局を選局させるような感覚で、適宜チャンネルを切り替えさせながら当該チャンネルに割り当てられたプレイリストＰＬに従い音楽を特徴部分の頭から試聴させることにより所望の音楽データＤ１を容易に選択させることができる。また制御部１１は、このようにリスト利用再生機能を実行している間は、順次音楽データＤ１を先頭位置や特徴位置から再生して、ユーザに対しより多くの音楽を途切れることなく連続して聴かせることができる。
【００６１】
かかる構成に加えて再生装置１０の場合、制御部１１は、チャンネルの切り替えや音楽データＤ１の切り替えが要求されると、現在再生中の音楽データＤ１を、データレベルを徐々に下げて最終的に例えば「０」のデータレベルに到達させる、いわゆるフェードアウト再生させる（すなわち、音楽データＤ１に基づく音楽の音声レベルを本来のレベルから徐々に下げて最終的に「０」にするフェードアウト再生である）と共に、次の音楽データＤ１を、例えば一旦「０」のデータレベルにした特徴位置から当該データレベルを徐々に上げて最終的に元のデータレベルに到達させる、いわゆるフェードイン再生させる（すなわち、音楽データＤ１に基づく音楽の音声レベルを「０」から徐々に上げて最終的に本来の音声レベルにするフェードイン再生である）ように再生部１３を制御している。
【００６２】
因みに、以下の説明では、音楽データＤ１に対する、フェードアウト再生やフェードイン再生のようにデータレベルを強制的に変化させない再生を、これらフェードアウト再生やフェードイン再生と区別するために通常再生と呼ぶ。また以下の説明では、音楽データＤ１に対する通常再生、フェードアウト再生及びフェードイン再生をまとめて単に再生と呼ぶ。また制御部１１は、音楽データＤ１の先頭位置から開始した通常再生の途中や、音楽データＤ１の特徴位置から開始したフェードイン再生の途中、音楽データＤ１の特徴位置から開始したフェードイン再生の完了に続く通常再生の途中の何れであっても、ユーザにより音楽データＤ１の切り替えやチャンネルの切り替えが要求されると、その要求を受け付けて、音楽データＤ１やチャンネルを切り替えるようにしている。
【００６３】
このためユーザにより音楽データＤ１を切り替えるように要求されたときに、切替前の現在再生中の音楽データＤ１とは、その時点に実行している処理に応じて、先頭位置から開始した通常再生の途中や、特徴位置から開始したフェードイン再生の途中、特徴位置から開始したフェードイン再生の完了に続く通常再生の途中の何れかの状態にある音楽データＤ１である。よって後述する、特徴位置からの再生中の音楽データＤ１とは、特徴位置から開始したフェードイン再生の途中、又は特徴位置から開始したフェードイン再生の完了に続く通常再生の途中の何れかの状態にある音楽データＤ１を示している。
【００６４】
そして図９（Ａ）乃至（Ｄ）に示すように、現在再生中の音楽データＤ１をフェードアウト再生した後、連続して次の音楽データＤ１をフェードイン再生するようにして音楽データＤ１を切り替える手法（以下、これを音楽データ切替手法と呼ぶ）としては、例えば、チャンネルや音楽データＤ１の切り替えが要求された時点（以下、これを切替要求時点と呼ぶ）ｔ１から、現在再生中の音楽データＤ１Ａを、予め選定された例えば 500〔msec〕程度の第１のフェードアウト再生時間ＦＯＴ１をかけてフェードアウト再生するようにして、そのフェードアウト再生が完了した時点（以下、これをフェードアウト再生完了時点と呼ぶ）ｔ２からは次の音楽データＤ１Ｂを特徴位置から、第１のフェードアウト再生時間ＦＯＴ１と同じ第１のフェードイン再生時間ＦＩＴ１をかけてフェードイン再生するようにして、当該フェードイン再生が完了した時点（以下、これをフェードイン再生完了時点と呼ぶ）ｔ３からは通常再生する第１の音楽データ切替手法（図９（Ａ））がある。
【００６５】
また音楽データ切替手法としては、例えば、切替要求時点ｔ１から現在再生中の音楽データＤ１Ａをフェードアウト再生するものの、そのフェードアウト再生が完了する前に、次の音楽データＤ１Ｂに対する特徴位置からのフェードイン再生を開始するようにして、フェードアウト再生とフェードイン再生とを一部同時に実行する、いわゆるクロスフェードと呼ばれる技法を採用した第２の音楽データ切替手法（図９（Ｂ））もある。因みに第２の音楽データ切替手法では、例えば、第１の音楽データ切替手法と同様の第１のフェードアウト再生時間ＦＯＴ１及び第１のフェードイン再生時間ＦＩＴ１を採用しているものの、クロスフェードも合わせて採用しているため、切替要求時点ｔ１（すなわち、フェードアウト再生の開始時点）からフェードイン再生完了時点ｔ４までの時間（以下、これを音楽データ切替時間と呼ぶ）ＤＣＴ１が第１の音楽データ切替手法での音楽データ切替時間ＤＣＴ２よりも短くなっている。
【００６６】
さらに音楽データ切替手法としては、例えば、切替要求時点ｔ１から現在再生中の音楽データＤ１Ａを第１のフェードアウト再生時間ＦＯＴ１よりも長い、予め選定された例えば 750〔msec〕程度の第２のフェードアウト再生時間ＦＯＴ２をかけてフェードアウト再生するようにして、フェードアウト再生完了時点ｔ５からは次の音楽データＤ１Ｂを特徴位置から第１のフェードイン再生時間ＦＩＴ１をかけてフェードイン再生する第３の音楽データ切替手法（図９（Ｃ））もある。因みに第３の音楽データ切替手法では、例えば、フェードアウト再生にかける時間として第１のフェードアウト再生時間ＦＯＴ１よりも長い第２のフェードアウト再生時間ＦＯＴ２を採用しているため、切替要求時点ｔ１からフェードイン再生完了時点ｔ６までの音楽データ切替時間ＤＣＴ３が第１の音楽データ切替手法での音楽データ切替時間ＤＣＴ２よりも長くなっている。
【００６７】
さらにまた音楽データ切替手法としては、例えば、第３の音楽データ切替手法と同様の第２のフェードアウト再生時間ＦＯＴ２及び第１のフェードイン再生時間ＦＩＴ１を採用しているものの、クロスフェードも合わせて採用している第４の音楽データ切替手法（図９（Ｄ））もある。因みに第４の音楽データ切替手法では、クロスフェードを採用しているため、切替要求時点ｔ１からフェードイン再生完了時点ｔ７までの音楽データ切替時間ＤＣＴ４が第３の音楽データ切替手法での音楽データ切替時間ＤＣＴ３よりも短くなっている。
【００６８】
これに加えて制御部１１は、例えば音楽データＤ１Ａに対する特徴位置からの再生中に、チャンネルの切り替えや音楽データＤ１の切り替えが要求されると、次の音楽データＤ１Ｂのフェードイン再生を開始する前に、表示部１８に対し、現在再生中の音楽データＤ１Ａを通知するための選択画面２０から当該次の音楽データＤ１Ｂを通知するための選択画面２０へと切り替えて表示させるように表示処理部１７を制御する。すなわち、制御部１１は、フェードイン再生の開始前に、選択画面２０内で、現在再生中の音楽データＤ１Ａに関する情報（すなわち、現在再生中の音楽データＤ１Ａに対応するジャケット写真画像２９、音楽タイトル３０及びアーティスト名３１であり、以下、これを現在表示情報と呼ぶ）を、次の音楽データＤ１Ｂに関する情報（すなわち、次の音楽データＤ１Ｂに対応するジャケット写真画像２９、音楽タイトル３０及びアーティスト名３１であり、以下、これを次表示情報と呼ぶ）へと切り替えるように表示処理部１７を制御している。
【００６９】
また制御部１１は、例えば音楽データＤ１Ａに対する先頭位置からの通常再生中に、チャンネルの切り替えや音楽データＤ１の切り替えが要求されると、次の音楽データＤ１Ｂのフェードイン再生を開始させる前に、表示部１８に対し、現在再生中の音楽データＤ１Ａを通知するための再生画面４０から当該次の音楽データＤ１Ｂを通知する再生画面４０へと切り替えて表示させるように表示処理部１７を制御している。すなわち、制御部１１は、フェードイン再生の開始前に、再生画面４０として表示していた当該再生画面４０内の現在表示情報（すなわち、ジャケット写真画像４７、音楽タイトル４５及びアーティスト名４６）を、選択画面２０として表示する当該選択画面２０内の次表示情報へと切り替えるように表示処理部１７を制御している。
【００７０】
そして図１０（Ａ）乃至（Ｅ）に示すように、音楽データＤ１の切り替えに応じて現在表示情報５０を次表示情報５１に切り替えて表示する手法（以下、これを表示情報切替手法と呼ぶ）としては、例えば、切替要求時点ｔ１に表示部１８に対し現在表示情報５０から次表示情報５１へと切り替えて表示する第１の表示情報切替手法（図１０（Ａ））がある。
【００７１】
また表示情報切替手法としては、例えば、切替要求時点ｔ１から現在表示情報５０を、予め選定された所定の第１の表示消滅時間ＤＯＴ１をかけて徐々に消滅させるようにして、その現在表示情報５０の消滅が完了した時点（すなわち、現在表示情報５０を完全に消滅させた時点であり、以下、これを消滅完了時点と呼ぶ）ｔ１０からは次表示情報５１を、第１の表示消滅時間ＤＯＴ１と同じ第１の表示出現時間ＤＩＴ１をかけて徐々に出現させるようにする第２の表示情報切替手法（図１０（Ｂ））もある。ただし第２の表示情報切替手法では、切替要求時点ｔ１（すなわち、現在表示情報５０の消滅の開始時点）から、次表示情報５１の出現が完了する時点（すなわち、次表示情報５１を本来の状態で表示し始める時点であり、以下、これを出現完了時点と呼ぶ）ｔ１１までの時間（以下、これを情報切替時間と呼ぶ）ＤＳＣＴ１が、例えば上述した第１のフェードアウト再生時間ＦＯＴ１よりも短い時間に選定されている。
【００７２】
さらに表示情報切替手法としては、例えば、切替要求時点ｔ１から現在表示情報５０を徐々に消滅させるものの、その消滅が完了する前に、次表示情報５１を徐々に出現させるようにして、現在表示情報５０の消滅と次表示情報５１の出現とを一部同時に実行する、ワイプやディゾルブ等のような切替編集機能を採用した第３の表示情報切替手法（図１０（Ｃ））もある。因みに第３の表示情報切替手法では、例えば、第２の表示情報切替手法と同様の第１の表示消滅時間ＤＯＴ１及び第１の表示出現時間ＤＩＴ１を採用しているものの、切替編集機能も合わせて採用しているため、切替要求時点ｔ１から出現完了時点ｔ１２までの情報切替時間ＤＳＣＴ２が第１の表示情報切替手法での情報切替時間ＤＳＣＴ１よりも短くなっている。
【００７３】
さらに表示情報切替手法としては、例えば、切替要求時点ｔ１から、現在表示情報５０を第１の表示消滅時間ＤＯＴ１よりも長い所定の第２の表示消滅時間ＤＯＴ２をかけて徐々に消滅させるようにして、消滅完了時点ｔ１３からは次表示情報５１を、第１の表示出現時間ＤＩＴ１をかけて徐々に出現させる第４の表示情報切替手法（図１０（Ｄ））もある。因みに第４の表示情報切替手法では、例えば、現在表示情報５０の消滅にかける時間として、第１の表示消滅時間ＤＯＴ１よりも長い第２の表示消滅時間ＤＯＴ２を採用しているものの、切替要求時点ｔ１から出現完了時点ｔ１４までの情報切替時間ＤＳＣＴ３が、例えば、上述した第１のフェードアウト再生時間ＦＯＴ１以下になっている。
【００７４】
さらにまた表示情報切替手法としては、例えば、第４の表示情報切替手法と同様の第２の表示消滅時間ＤＯＴ２及び第１の表示出現時間ＤＩＴ１を採用しているものの、第３の表示情報切替手法と同様な切替編集機能も合わせて採用している第５の表示情報切替手法（図１０（Ｅ））もある。因みに第５の表示情報切替手法では、切替編集機能を採用しているため、切替要求時点ｔ１から出現完了時点ｔ１５までの情報切替時間ＤＳＣＴ４が第４の表示情報切替手法での情報切替時間ＤＳＣＴ３よりも短くなっている。
【００７５】
因みに第１の表示情報切替手法では、現在再生中の音楽データＤ１を通知する画面が選択画面２０であり、かつ次の音楽データＤ１を通知する画面も選択画面２０である場合、これら選択画面２０自体を切り替えることで、現在表示情報５０を次表示情報５１に切り替え、又は選択画面２０内で現在表示情報５０のみを次表示情報５１に切り替える。また第１の表示情報切替手法では、現在再生中の音楽データＤ１を通知する画面が再生画面４０であり、かつ次の音楽データＤ１を通知する画面が選択画面２０である場合、当該再生画面４０自体を選択画面２０自体に切り替えることで現在表示情報５０を次表示情報５１に切り替える。
【００７６】
一方、第２乃至第５表示情報切替手法では、現在再生中の音楽データＤ１を通知する画面が選択画面２０であり、かつ次の音楽データＤ１を通知する画面も選択画面２０である場合、先の選択画面２０自体を徐々に消滅させると共に次の選択画面２０自体を徐々に出現させることで、現在表示情報５０を徐々に消滅させると共に次表示情報５１を徐々に出現させ、又は選択画面２０内で現在表示情報５０のみを徐々に消滅させると共に次表示情報５１のみを徐々に出現させる。また第２乃至第５表示情報切替手法では、現在再生中の音楽データＤ１を通知する画面が再生画面４０であり、かつ次の音楽データＤ１を通知する画面が選択画面２０である場合、再生画面４０自体を徐々に消滅させると共に選択画面２０を徐々に出現させることで、現在表示情報５０を徐々に消滅させると共に次表示情報５１を徐々に出現させる。
【００７７】
そして図１１に示すように、制御部１１は、例えばユーザに対し第１乃至第４の音楽データ切替手法の中から任意に１つの第１乃至第４の音楽データ切替手法を選択させる。また制御部１１は、第１乃至第５の表示情報切替手法の中からも任意に１つの第１乃至第５の表示情報切替手法を選択させる。このようにして制御部１１は、リスト利用再生機能の実行時には、ユーザにより選択された１組の第１乃至第４の音楽データ切替手法及び第１乃至第５の表示切替手法を利用するように設定する。これにより制御部１１は、リスト利用再生機能を実行している間、チャンネルや音楽データＤ１の切り替えが要求される毎に、ユーザにより選択された１つの第１乃至第４の音楽データ切替手法に従い再生部１３を制御すると共に、当該ユーザにより選択された１つの第１乃至第５の表示情報切替手法に従い表示処理部１７を制御している。
【００７８】
ここで図１２乃至図１４を用いて、リスト利用再生機能の実行中に例えば第１の音楽データ切替手法と第２の表示情報切替手法とを利用するように設定している場合の音楽データＤ１の切り替えと表示情報の切り替えとについて説明する。すなわち図１２（Ａ）及び（Ｂ）に示すように、制御部１１は、音楽データＤ１Ａに対する先頭位置からの通常再生中又は特徴位置からの再生途中にチャンネルや音楽データＤ１の切り替えが要求されると、再生部１３により切替要求時点ｔ１から、現在再生中の音楽データＤ１Ａをフェードアウト再生させて、そのフェードアウト再生が完了すると、次の音楽データＤ１Ｂを特徴位置からフェードイン再生させる。また制御部１１は、表示処理部１７により切替要求時点ｔ１から現在表示情報５０を徐々に消滅させて、当該現在表示情報５０の消滅が完了すると、次表示情報５１を徐々出現させるようにして、現在表示情報５０から次表示情報５１への表示の切り替えを第１のフェードアウト再生時間ＦＯＴ１よりも短い時間で完了させる。このようにして制御部１１は、音楽データＤ１Ａの再生中に、チャンネルや音楽データＤ１の切り替えが要求される毎に、同様にして音楽データＤ１を切り替えて再生すると共に、現在表示情報５０を次表示情報５１に切り替えて表示する。
【００７９】
また図１３（Ａ）及び（Ｂ）に示すように、制御部１１は、音楽データＤ１Ａに対する特徴位置からの再生途中に当該音楽データＤ１Ａが所望の音楽データＤ１として選択決定される（すなわち、音楽選択決定命令が入力される）と、その選択決定された時点（以下、これを選択決定時点と呼ぶ）ｔ２０から、再生部１３により、現在再生中の音楽データＤ１Ａをフェードアウト再生させ、そのフェードアウト再生が完了すると、同一の音楽データＤ１Ａを先頭位置から、フェードイン再生はさせずに通常再生させる。
【００８０】
ところで制御部１１は、このように特徴位置から再生中の音楽データＤ１Ａが選択決定され、その音楽データＤ１Ａを先頭位置から通常再生するときには、表示部１８を介して通知する現在表示情報５０の内容を何ら変更する必要はない。しかしながら制御部１１は、音楽データＤ１Ａに対する特徴位置からの再生を一旦停止させて、その音楽データＤ１Ａを先頭位置から通常再生するとき、その時点まで表示部１８に表示していた選択画面２０をこれとは構成の異なる再生画面４０に切り替えている。このため制御部１１は、表示処理部１７により選択決定時点ｔ２０から現在表示情報５０として選択画面２０自体を徐々に消滅させて、当該選択画面２０の消滅が完了すると、同一の内容の現在表示情報５０を有する再生画面４０を徐々に出現させるようにして、選択画面２０から再生画面４０への表示の切り替えを第１のフェードアウト再生時間ＦＯＴ１よりも短い時間で完了させている。
【００８１】
さらに図１４（Ａ）及び（Ｂ）に示すように、制御部１１は、音楽データＤ１Ａに対する特徴位置からの再生途中に、チャンネルや音楽データＤ１の切り替えが何ら要求されず、また当該音楽データＤ１Ａが所望の音楽データＤ１として選択決定もされずに、再生部１３により、その音楽データＤ１Ａに対する後尾位置までの再生が終了すると、引き続き次の音楽データＤ１Ｂを先頭位置から通常再生させる。ところで制御部１１は、このように音楽データＤ１をフェードアウト再生及びフェードイン再生せずに切り替えたときには、表示処理部１７により、例えば先の音楽データＤ１Ａの再生終了に合わせて、表示部１８に対し、現在表示情報５０としての選択画面２０から、次表示情報５１としての再生画面４０へと切り替えて表示させる。
【００８２】
ところで制御部１１は、ユーザにより音楽データＤ１の切り替えが要求されると、その切替要求時点から現在再生中の音楽データＤ１Ａをフェードアウト再生すると共に、次の音楽データＤ１Ｂをフェードイン再生することで、当該切替要求時点から実際に現在再生中の音楽データＤ１Ａに替えて次の音楽データＤ１Ｂを通常再生するまでには多少なりとも時間をかけている。このため制御部１１は、１つのプレイリストＰＬに従い順次音楽データＤ１を切り替える場合、再生音楽切替命令の入力間隔に応じて第１及び第２のフェードアウト再生時間ＦＯＴ１及びＦＯＴ２と第１のフェードイン再生時間ＦＩＴ１とを短くするように制御するか否かをユーザに選択させて設定することができる。
【００８３】
ただし、かかる制御については、上述した再生可能データ数（すなわち、プレイリストＰＬに登録されている音楽データＤ１のうち、再生するように設定されている音楽データＤ１の総数）を考慮する第１の制御手法と、当該再生可能データ数を何ら考慮しない第２の制御手法とがある。そして制御部１１は、ユーザにより、再生音楽切替命令の入力間隔に応じて第１及び第２のフェードアウト再生時間ＦＯＴ１及びＦＯＴ２と第１のフェードイン再生時間ＦＩＴ１とを制御するように選択されたときには、第１の制御手法と第２の制御手法との何れを利用するかも合わせて選択させるようになされている。従って以下には、再生音楽切替命令の入力間隔に応じた第１及び第２のフェードアウト再生時間ＦＯＴ１及びＦＯＴ２と第１のフェードイン再生時間ＦＩＴ１との制御について説明する。
【００８４】
まず制御部１１は、第１の制御手法が選択されていると、コンテンツデータ記憶部１４からプレイリストＰＬを読み出したとき、そのプレイリストＰＬに対応する再生可能データ数を検出する。そして例えば図１５（Ａ）乃至（Ｄ）に示すように、制御部１１は、この際に第１の音楽データ切替手法を利用するように設定していると、再生可能データ数を予め選定された所定の音楽データ数を示す第１のデータ閾値と比較する。その結果、制御部１１は、再生可能データ数が第１のデータ閾値よりも少ないと、この条件（以下、これを第１の条件と呼ぶ）に応じて、上述した第１のフェードアウト再生時間ＦＯＴ１よりもわずかに短い第１の変更フェードアウト再生時間ＣＦＯＴ１を選択すると共に、上述した第１のフェードイン再生時間ＦＩＴ１よりもわずかに短い第１の変更フェードイン再生時間ＣＦＩＴ１（すなわち、第１の変更フェードアウト再生時間ＣＦＯＴ１と同じ）を選択する。
【００８５】
また制御部１１は、再生可能データ数が第１のデータ閾値以上のときは、当該再生可能データ数を、第１のデータ閾値の示す音楽データ数よりも多い、予め選定された所定の音楽データ数を示す第２のデータ閾値と比較する。その結果、制御部１１は、再生可能データ数が第２のデータ閾値よりも少ないと（すなわち、再生可能データ数が第１のデータ閾値以上でかつ第２のデータ閾値未満であると）、この条件（以下、これを第２の条件と呼ぶ）に応じて、第１の変更フェードアウト再生時間ＣＦＯＴ１よりも短い第２の変更フェードアウト再生時間ＣＦＯＴ２を選択すると共に、第１の変更フェードイン再生時間ＣＦＩＴ１よりも短い第２の変更フェードイン再生時間ＣＦＩＴ２（すなわち、第２の変更フェードアウト再生時間ＣＦＯＴ２と同じ）を選択する。
【００８６】
さらに制御部１１は、再生可能データ数が第２のデータ閾値以上であると、この条件（以下、これを第３の条件と呼ぶ）に応じて、第２の変更フェードアウト再生時間ＣＦＯＴ２よりもさらに短い第３の変更フェードアウト再生時間ＣＦＯＴ３を選択すると共に、第２の変更フェードイン再生時間ＣＦＩＴ２よりもさらに短い第３の変更フェードイン再生時間ＣＦＩＴ３（すなわち、第３の変更フェードアウト再生時間ＣＦＯＴ３と同じ）を選択する。因みに以上の説明では、第１の音楽データ切替手法を利用するように設定している場合を例にしているが、第２の音楽データ切替手法を利用するように設定している場合も、再生音楽切替命令の入力間隔に応じて同様に第１乃至第３の変更フェードアウト再生時間ＣＦＯＴ１乃至ＣＦＯＴ３と第１乃至第３の変更フェードイン再生時間ＣＦＩＴ１乃至ＣＦＩＴ３を選択する。
【００８７】
また制御部１１は、第３及び第４の音楽データ切替手法を利用するように設定している場合、フェードイン再生時間については、再生音楽切替命令の入力間隔に応じて上述と同様に第１乃至第３の変更フェードイン再生時間ＣＦＩＴ１乃至ＣＦＩＴ３を選択する。しかしながら制御部１１は、第３及び第４の音楽データ切替手法を利用するように設定している場合、フェードアウト再生時間については、第１のフェードアウト再生時間ＦＯＴ１の替わりに上述した第２のフェードアウト再生時間ＦＯＴ２を基準にし、再生音楽切替命令の入力間隔に応じて当該第２のフェードアウト再生時間ＦＯＴ２よりも順次短い３種類の第４乃至第６の変更フェードアウト再生時間を適宜選択する。
【００８８】
これに加えて例えば図１６（Ａ）乃至（Ｄ）に示すように、制御部１１は、第２の表示情報切替手法を利用するように設定していると、再生可能データ数が第１のデータ閾値よりも少ない場合、その第１の条件に応じて、上述した第１の表示消滅時間ＤＯＴ１よりもわずかに短い第１の変更表示消滅時間ＣＤＯＴ１を選択すると共に、上述した第１の表示出現時間ＤＩＴ１よりもわずかに短い第１の変更表示出現時間ＣＤＩＴ１（すなわち、第１の変更表示消滅時間ＣＤＯＴ１と同じ）を選択する。また制御部１１は、再生可能データ数が第１のデータ閾値以上でかつ第２のデータ閾値未満であると、その第２の条件に応じて、第１の変更表示消滅時間ＣＤＯＴ１よりも短い第２の変更表示消滅時間ＣＤＯＴ２を選択すると共に、第１の変更表示出現時間ＣＤＩＴ１よりも短い第２の変更表示出現時間ＣＤＩＴ２（すなわち、第２の変更表示消滅時間ＣＤＯＴ２と同じ）を選択する。
【００８９】
さらに制御部１１は、再生可能データ数が第２のデータ閾値以上であると、その第３の条件に応じて、第２の変更表示消滅時間ＣＤＯＴ２よりもさらに短い第３の変更表示消滅時間ＣＤＯＴ３を選択すると共に、第２の変更表示出現時間ＣＤＩＴ２よりもさらに短い第３の変更表示出現時間ＣＤＩＴ３（すなわち、第３の変更表示消滅時間ＣＤＯＴ３と同じ）を選択する。因みに以上の説明では、第２の表示情報切替手法を利用するように設定している場合を例にしているが、第３の表示情報切替手法を利用するように設定している場合も、再生音楽切替命令の入力間隔に応じて同様に第１乃至第３の変更表示消滅時間ＣＤＯＴ１乃至ＣＤＯＴ３と第１乃至第３の変更表示出現時間ＣＤＩＴ１乃至ＣＤＩＴ３を選択する。
【００９０】
また制御部１１は、第４及び第５の表示情報切替手法を利用するように設定している場合、表示出現時間については、再生音楽切替命令の入力間隔に応じて上述と同様に第１乃至第３の変更表示出現時間ＣＤＩＴ１乃至ＣＤＩＴ３を選択する。しかしながら制御部１１は、第４及び第５の表示情報切替手法を利用するように設定している場合、表示消滅時間については、第１の表示消滅時間ＤＯＴ１の替わりに上述した第２の表示消滅時間ＤＯＴ２を基準にし、再生音楽切替命令の入力間隔に応じて当該第２の表示消滅時間ＤＯＴ２よりも順次短い３種類の第４乃至第６の変更表示消滅時間を適宜選択する。
【００９１】
そして制御部１１は、プレイリストＰＬに従い順次音楽データＤ１を切り替えて再生する場合、再生音楽切替命令が入力される毎に、内部のタイマを一旦リセットし計時を開始するようにして、再生音楽切替命令が入力されてから次に再生音楽切替命令が入力されるまでの時間（以下、これを入力間隔時間と呼ぶ）を順次計時している。従って制御部１１は、プレイリストＰＬに従い順次音楽データＤ１を切り替えて再生する際に、入力間隔時間が予め選定された所定の時間を示す第１の入力間隔閾値以上のときには、その入力間隔時間を計時した時点に再生中の音楽データＤ１Ａをフェードアウト再生させるフェードアウト再生時間を上述した第１のフェードアウト再生時間ＦＯＴ１（又は、第２のフェードアウト再生時間ＦＯＴ２）に設定する。また制御部１１は、このとき、次の音楽データＤ１Ｂをフェードイン再生させるフェードイン再生時間も上述した第１のフェードイン再生時間ＦＩＴ１に設定する。
【００９２】
さらに制御部１１は、かかるプレイリストＰＬに従い順次音楽データＤ１を切り替えて再生する際に、第２乃至第５の表示情報切替手法を利用するように設定していると、入力間隔時間が予め選定された所定の時間を示す第１の入力間隔閾値以上のときには、その入力間隔時間を計時した時点に表示中の現在表示情報５０に対する表示消滅時間を上述した第１の表示消滅時間ＤＯＴ１（又は、第２の表示消滅時間ＤＯＴ２）に設定する。さらにまた制御部１１は、このとき、次表示情報５１に対する表示出現時間も上述した第１の表示出現時間ＤＩＴ１に設定する。
【００９３】
これに加えて制御部１１は、かかるプレイリストＰＬに従い順次音楽データＤ１を切り替えて再生する際に、入力間隔時間が第１の入力間隔閾値よりも小さいときには、その入力間隔時間を計時した時点に再生中の音楽データＤ１Ａをフェードアウト再生させるフェードアウト再生時間を、上述した第１乃至第３の条件に応じて選択していた第１乃至第３の変更フェードアウト再生時間ＣＦＯＴ１乃至ＣＦＯＴ３（又は、第４乃至第６の変更フェードアウト再生時間）に設定する。また制御部１１は、このとき、次の音楽データＤ１Ｂをフェードイン再生させるフェードイン再生時間も、上述した第１乃至第３の条件に応じて選択していた第１乃至第３の変更フェードイン再生時間ＣＦＩＴ１乃至ＣＦＩＴ３に設定する。
【００９４】
さらに制御部１１は、かかるプレイリストＰＬに従い順次音楽データＤ１を切り替えて再生する際に、第２乃至第５の表示情報切替手法を利用するように設定していると、入力間隔時間が第１の入力間隔閾値よりも小さいときには、その入力間隔時間を計時した時点に表示中の現在表示情報５０に対する表示消滅時間を、上述した第１乃至第３の条件に応じて選択していた上述した第１乃至第３の変更表示消滅時間ＣＤＯＴ１乃至ＣＤＯＴ３（又は、第４乃至第６の変更表示消滅時間）に設定する。さらにまた制御部１１は、このとき、次表示情報５１に対する表示出現時間も、上述した第１乃至第３の条件に応じて選択していた第１乃至第３の変更表示出現時間ＣＤＩＴ１乃至ＣＤＩＴ３に設定する。
【００９５】
そして制御部１１は、実際にプレイリストＰＬに従い音楽データＤ１を再生しているときに、音楽データＤ１の切り替えが要求されると、再生音楽切替命令の入力間隔に応じて、上述した設定を利用して音楽データＤ１の切り替えや表示情報の切り替えに要する時間を適宜制御している。
【００９６】
一方、制御部１１は、第２の制御手法が選択されていると、例えば第１の音楽データ切替手法を利用するように設定している状態で、１つのプレイリストＰＬに従い順次音楽データＤ１を切り替えて再生する場合、再生音楽切替命令が入力される毎に上述と同様に入力間隔時間を順次計時する。そして制御部１１は、その入力間隔時間を第１の入力間隔閾値と比較する。その結果、制御部１１は、入力間隔時間が第１の入力間隔閾値以上であるときには、その入力間隔時間を計時した時点に再生中の音楽データＤ１Ａをフェードアウト再生させるフェードアウト再生時間を上述した第１のフェードアウト再生時間ＦＯＴ１にする。また制御部１１は、このとき、次の音楽データＤ１Ｂをフェードイン再生させるフェードイン再生時間を上述した第１のフェードイン再生時間ＦＩＴ１にする。
【００９７】
これに対して図１７（Ａ）及び（Ｂ）に示すように、制御部１１は、入力間隔時間が第１の入力間隔閾値よりも短いときには、その入力間隔時間を第１の入力間隔閾値よりも短い所定時間を示す第２の入力間隔閾値と比較する。その結果、制御部１１は、入力間隔時間が第２の入力間隔閾値以上でかつ第１の入力間隔閾値よりも短いと、その条件（以下、これを第４の条件と呼ぶ）に応じて、入力間隔時間を計時した時点に再生中の音楽データＤ１Ａをフェードアウト再生させるフェードアウト再生時間を、上述した第１のフェードアウト再生時間ＦＯＴ１よりも短い第７の変更フェードアウト再生時間ＣＦＯＴ４に変更する。また制御部１１は、このとき、次の音楽データＤ１Ｂをフェードイン再生させるフェードイン再生時間も、上述した第１のフェードイン再生時間ＦＩＴ１よりも短い第４の変更フェードイン再生時間ＣＦＩＴ４（すなわち、第７の変更フェードアウト再生時間ＣＦＯＴ４と同じ）に変更する。
【００９８】
さらに制御部１１は、入力間隔時間が第２の入力間隔閾値よりも短いと、その条件（以下、これを第５の条件と呼ぶ）に応じて、入力間隔時間を計時した時点に再生中の音楽データＤ１Ａをフェードアウト再生させるフェードアウト再生時間を、第７の変更フェードアウト再生時間ＣＦＯＴ４よりもさらに短い第８の変更フェードアウト再生時間ＣＦＯＴ５に変更する。また制御部１１は、このとき、次の音楽データＤ１Ｂをフェードイン再生させるフェードイン再生時間も、第４の変更フェードイン再生時間ＣＦＩＴ４よりもさらに短い第５の変更フェードイン再生時間ＣＦＩＴ５（すなわち、第８の変更フェードアウト再生時間ＣＦＯＴ５と同じ）に変更する。
【００９９】
因みに以上の説明では、第１の音楽データ切替手法を利用するように設定している場合を例にしているが、第２の音楽データ切替手法を利用するように設定している場合も、再生音楽切替命令の入力間隔に応じて同様に第１のフェードアウト再生時間ＦＯＴ１及び第１のフェードイン再生時間ＦＩＴ１を、第７乃至第８の変更フェードアウト再生時間ＣＦＯＴ４乃至ＣＦＯＴ５と第４乃至第５の変更フェードイン再生時間ＣＦＩＴ４乃至ＣＦＩＴ５に変更する。また制御部１１は、第３及び第４の音楽データ切替手法を利用するように設定している場合、フェードイン再生時間については、再生音楽切替命令の入力間隔に応じて上述と同様に第１のフェードイン再生時間ＦＩＴ１を、第４乃至第５の変更フェードイン再生時間ＣＦＩＴ４乃至ＣＦＩＴ５に変更する。しかしながら制御部１１は、第３及び第４の音楽データ切替手法を利用するように設定している場合、フェードアウト再生時間については、再生音楽切替命令の入力間隔に応じて、第１のフェードアウト再生時間ＦＯＴ１の替わりに上述した第２のフェードアウト再生時間ＦＯＴ２を、これよりも順次短い２種類の第６及び第７の変更フェードアウト再生時間に変更する。
【０１００】
これに加えて制御部１１は、この際、第２の表示情報切替手法を利用するように設定していると、入力間隔時間が第１の入力間隔閾値以上であるときには、その入力間隔時間を計時した時点に表示中の現在表示情報５０に対する表示消滅時間を、上述した第１の表示消滅時間ＤＯＴ１にする。また制御部１１は、このとき、次表示情報５１に対する表示出現時間も上述した第１の表示出現時間ＤＩＴ１にする。
【０１０１】
これに対して制御部１１は、上述した第４の条件を満たしたときには、入力間隔時間を計時した時点に表示中の現在表示情報５０に対する表示消滅時間を、上述した第１の表示消滅時間ＤＯＴ１よりも短い第７の変更表示消滅時間ＣＤＯＴ４に変更する。また制御部１１は、このとき、次表示情報５１に対する表示出現時間も、上述した第１の表示出現時間ＤＩＴ１よりも短い第４の変更表示出現時間ＣＤＩＴ４（すなわち、第７の変更表示消滅時間ＣＤＯＴ４と同じ）に変更する。さらに制御部１１は、上述した第５の条件を満たしたときには、入力間隔時間を計時した時点に表示中の現在表示情報５０に対する表示消滅時間を、第７の変更表示消滅時間ＣＤＯＴ４よりも短い第８の変更表示消滅時間ＣＤＯＴ５に変更する。また制御部１１は、このとき、次表示情報５１に対する表示出現時間も、第４の変更表示出現時間ＣＤＩＴ４よりも短い第５の変更表示出現時間ＣＤＩＴ５（すなわち、第８の変更表示消滅時間ＣＤＯＴ５と同じ）に変更する。
【０１０２】
因みに以上の説明では、第２の表示情報切替手法を利用するように設定している場合を例にしているが、第３の表示情報切替手法を利用するように設定している場合も、再生音楽切替命令の入力間隔に応じて同様に第１の表示消滅時間ＤＯＴ１及び第１の表示出現時間ＤＩＴ１を、第７乃至第８の変更表示消滅時間ＣＤＯＴ４乃至ＣＤＯＴ５と第４乃至第５の変更表示出現時間ＣＤＩＴ４乃至ＣＤＩＴ５に変更する。また制御部１１は、第４及び第５の表示情報切替手法を利用するように設定している場合、表示出現時間については、再生音楽切替命令の入力間隔に応じて上述と同様に第１の表示出現時間ＤＩＴ１を、第４乃至第５の変更表示出現時間ＣＤＩＴ４乃至ＣＤＩＴ５に変更する。しかしながら制御部１１は、第４及び第５の表示情報切替手法を利用するように設定している場合、表示消滅時間については、再生音楽切替命令の入力間隔に応じて、第１の表示消滅時間ＤＯＴ１の替わりに上述した第２の表示消滅時間ＤＯＴ２を、これよりも順次短い２種類の第６及び第７の変更フェードアウト再生時間に変更する。
【０１０３】
このようにして制御部１１は、ユーザにより比較的すばやく音楽データＤ１を切り替えるように要求されたとき（すなわち、入力部１２が比較的すばやく操作されたとき）には、これに応じて切替要求時点から実際に音楽データＤ１の再生が切り替わるまでの時間（すなわち、音楽データ切替時間）を段階的に短くする。これにより制御部１１は、ユーザの操作に対し音楽データＤ１の切り替えが追従せずに苛立ちを感じさせるようなことを回避している。また制御部１１は、音楽データ切替時間の短縮に合わせて、現在表示情報５０から次表示情報５１への表示の切り替えに要する時間（すなわち、情報切替時間）も段階的に短くしている。従って制御部１１は、現在表示情報５０から次表示情報５１への表示の切り替えによっても、操作に苛立ちを感じさせるようなことを回避している。
【０１０４】
ところで制御部１１は、複数種類のプレイリストＰＬのうち、少なくとも１つの特定のプレイリスト（以下、これを特定プレイリストと呼ぶ）ＰＬについては、これに登録された音楽データＤ１を再生に利用するように設定し、かかる設定を変更し得ないようにしている。しかしながら制御部１１は、複数種類のプレイリストＰＬの中で特定プレイリストＰＬを除く他のプレイリストＰＬについては、これらプレイリストＰＬに登録されている音楽データＤ１を実際に試聴させながら、上述したように音楽データＤ１の再生に利用するか否かをユーザに選択させ得るようになされている。
【０１０５】
すなわち、制御部１１は、ユーザにより任意の時点に入力部１２が操作され、プレイリストＰＬを音楽データＤ１の再生に利用するか否かを設定するように要求する再生利用設定要求命令が入力されると、これに応じてコンテンツデータ記憶部１４から再生利用設定画面データを読み出して表示処理部１７に送出する。そして表示処理部１７は、制御部１１から与えられた再生利用設定画面データを表示部１８に送出する。これにより表示処理部１７は、表示部１８に対し再生利用設定画面データに基づく図１８に示すような再生利用設定画面６０を表示する。
【０１０６】
この場合、再生利用設定画面６０は、音楽データＤ１の再生に利用するか否かを設定可能な複数のプレイリストＰＬを提示するための提示項目６１Ａ乃至６１Ｆをリスト化して表示するリスト提示欄６１が設けられている。そしてリスト提示欄６１の各提示項目６１Ａ乃至６１Ｆには、それぞれ１つのプレイリストＰＬのリスト名が表示されると共に、当該プレイリストＰＬを音楽データＤ１の再生に利用するか否かを確認するためのチェックボックス６２が設けられている。因みにチェックボックス６２は、チェックマークが入れられた場合、対応するプレイリストＰＬを音楽データＤ１の再生に利用することを示し、チェックマークが入れられていない場合には、対応するプレイリストＰＬを音楽データＤ１の再生には利用しないことを示している。また再生利用設定画面６０には、各プレイリストＰＬをそれぞれ音楽データＤ１の再生に利用するか否かを設定して当該再生利用設定画面６０を閉じるための設定ボタン６３も設けられている。
【０１０７】
そして制御部１１は、表示処理部１７により表示部１８に対し再生利用設定画面６０を表示させた状態で、例えばユーザによりリモートコントローラＲＭの上方向選択ボタンＲＭＥ又は下方向選択ボタンＲＭＦが押下操作され、カーソル移動命令が入力されると、これを表示処理部１７に通知する。このとき表示処理部１７は、制御部１１からの通知に応じて、再生利用設定画面６０のリスト提示欄６１内で例えば何れか一つの提示項目６１Ａ乃至６１Ｆを指示するカーソル（図示せず）を上方向又は下方向に移動させる。
【０１０８】
また制御部１１は、再生利用設定画面６０上で何れかの提示項目６１Ａ乃至６１Ｆがカーソルにより指示された状態で、例えばユーザによりリモートコントローラＲＭの決定ボタンＲＭＩが押下操作されると、このとき入力された命令がプレイリストＰＬを音楽データＤ１の再生に利用するか否かを選択する再生利用選択命令であると認識し、これを表示処理部１７に通知する。これにより表示処理部１７は、制御部１１からの通知に応じて、再生利用設定画面６０のリスト提示欄６１において、その時点にカーソルが指示していた提示項目６１Ａ乃至６１Ｆのチェックボックス６２内にチェックマークを表示させる。因みに表示処理部１７は、チェックボックス６２内にチェックマークを表示させた提示項目６１Ａ乃至６１Ｆをカーソルが指示した状態で、制御部１１から再生利用選択命令の入力が通知されると、そのチェックマークを消すようにしている。このようにして制御部１１は、再生利用設定画面６０内のチェックボックス６２に表示させたチェックマークにより、対応するプレイリストＰＬを音楽データＤ１の再生に利用するか否かを選択させる。
【０１０９】
そして制御部１１は、例えばユーザによりリモートコントローラＲＭの右方向選択ボタンＲＭＨが押下操作され、右方向選択命令が入力されると、これを表示処理部１７に通知する。表示処理部１７は、このとき制御部１１からの通知に応じて、再生利用設定画面６０上でカーソルをリスト提示欄６１から設定ボタン６３に移動させる。因みに制御部１１は、設定ボタン６３上にカーソルが位置する状態で、例えばユーザによりリモートコントローラＲＭの左方向選択ボタンＲＭＧが押下操作され、制御部１１から左方向選択命令の入力が通知されると、表示処理部１７を介して再生利用設定画面６０上でカーソルを設定ボタン６３からリスト提示欄６１に移動させる。これにより制御部１１は、再びカーソルにより提示項目６１Ａ乃至６１Ｆを指示させることができるようにする。
【０１１０】
このようにして制御部１１は、設定ボタン６３上にカーソルが位置している状態で、例えばユーザによりリモートコントローラＲＭの決定ボタンＲＭＩが押下操作されると、このとき入力された命令が再生利用設定命令であると認識し、これを表示処理部１７に通知する。これにより表示処理部１７は、制御部１１からの通知に応じて、その時点の再生利用設定画面６０の表示内容を制御部１１に通知すると共に、当該再生利用設定画面６０を閉じる。これにより制御部１１は、表示処理部１１からの通知に応じてプレイリストＰＬに格納された再生利用設定情報ＬＳの内容を適宜変更することにより、個々のプレイリストＰＬを音楽データＤ１の再生に利用するか否かを設定する。
【０１１１】
ところで制御部１１は、表示処理部１７により表示部１８に表示された再生利用設定画面６０上で、何れかの提示項目６１Ａ乃至６１Ｆがカーソルにより指示されると、当該カーソルの指示している提示項目６１Ａ乃至６１Ｆに対応するプレイリストＰＬをコンテンツデータ記憶部１４から読み出す。そして制御部１１は、提示項目６１Ａ乃至６１Ｆがカーソルにより指示されている間、コンテンツデータ記憶部１４から上述と同様に、そのプレイリストＰＬに従い音楽データＤ１及びデータ関連情報ＤＲＥを順次読み出すと共に、当該読み出した音楽データＤ１をデータ関連情報ＤＲＥに含まれる特徴位置情報ＳＰと共に再生部１３に送出する。
【０１１２】
これにより図１９に示すように、制御部１１は、再生部１３により、音楽データＤ１Ａを特徴位置からフェードイン再生させてフェードイン再生完了時点ｔ３０から予め選定された所定の一定時間ＣＴ（すなわち、後尾位置に到達する前の一定時間ＣＴ）だけ通常再生させ、その通常再生の完了した時点ｔ３１からはフェードアウト再生させる。そして制御部１１は、再生部１３により、音楽データＤ１Ａのフェードアウト再生が完了すると、次の音楽データＤ１Ｂを特徴位置からフェードイン再生させてフェードイン再生完了時点ｔ３２から一定時間ＣＴだけ通常再生させ、その通常再生が完了した時点ｔ３３からはフェードアウト再生させる。
【０１１３】
このようにして制御部１１は、ユーザに対し、プレイリストＰＬを音楽データＤ１の再生に利用するか否かを選択させる際、当該プレイリストＰＬに登録されている複数の音楽データＤ１を順次特徴位置から所定時間ずつ再生する。これにより制御部１１は、プレイリストＰＬに登録されている音楽データＤ１に基づく音楽の一部を実際に試聴させながら、ユーザに対し、プレイリストＰＬを音楽データＤ１の再生に利用するか否かを選択させることができる。
【０１１４】
ここで実際上、制御部１１は、ユーザにより入力部１２を介してリスト利用再生機能が選択されたことに応じてリスト利用再生機能を起動すると、図２０に示すリスト利用再生機能起動処理手順ＲＴ１を開始する。制御部１１は、かかるリスト利用再生機能起動処理手順ＲＴ１を開始すると、ステップＳＰ１において起動初期使用チャンネル番号のチャンネルを選択して、次のステップＳＰ２に移る。ステップＳＰ２において制御部１１は、コンテンツデータ記憶部１４からチャンネルリストＣＬと、起動初期使用チャンネル番号のチャンネルに割り当てられたプレイリストＰＬとを読み出して、次のステップＳＰ３に移る。
【０１１５】
ステップＳＰ３において制御部１１は、プレイリストＰＬを正しく読み出せたか否かを判別する。このステップＳＰ３において肯定結果が得られると、このことは、例えばプレイリストＰＬのデータが破損してはいないことを表している。従って制御部１１は、かかる肯定結果を得ると、次のステップＳＰ４に移る。そしてステップＳＰ４において制御部１１は、プレイリストＰＬを用いてチャンネル初期化処理を実行する。ここで制御部１１は、チャンネル初期化処理として、例えばプレイリストＰＬのリスト属性情報ＬＡＴに含まれている再生形態情報ＰＭが、シャッフル再生形態を示していると、当該プレイリストＰＬで規定されている音楽データＤ１の再生順序を無作為に並べ替えた他の順序に変更するような処理を実行する。そして制御部１１は、このようなチャンネル初期化処理を実行した後、次のステップＳＰ５に移る。
【０１１６】
ステップＳＰ５において制御部１１は、プレイリストＰＬのリスト属性情報ＬＡＴに含まれている再生利用設定情報ＬＳに基づき、当該プレイリストＰＬが音楽データＤ１の再生に利用するように設定されているか否かを判別する。このステップＳＰ５において否定結果が得られると、このことはプレイリストＰＬを音楽データＤ１の再生には利用しないことを表している。すなわち、かかる否定結果は、このとき選択したチャンネルに割り当てられているプレイリストＰＬに従い音楽データＤ１を再生し得ないことを表している。従って制御部１１は、かかる否定結果を得ると、ステップＳＰ６に移る。ステップＳＰ６において制御部１１は、特定プレイリストが割り当てられた特定のチャンネルを選択して、ステップＳＰ２に戻る。これにより制御部１１は、コンテンツデータ記憶部１４から、特定のチャンネルに割り当てられた特定プレイリストＰＬを読み出して、再び上述と同様の処理を実行する。
【０１１７】
ところでステップＳＰ５において肯定結果が得られると、このことはプレイリストＰＬを音楽データＤ１の再生に利用し得ることを表している。すなわち、かかる肯定結果は、このとき選択したチャンネルに割り当てられているプレイリストＰＬ１に従い音楽データＤ１を再生し得ることを表している。従って制御部１１は、かかる肯定結果を得ると、次のステップＳＰ７に移る。
【０１１８】
ステップＳＰ７において制御部１１は、プレイリストＰＬに従い再生順序が１番目の音楽データＤ１をコンテンツデータ記憶部１４から読み出して、次のステップＳＰ８に移る。ステップＳＰ８において制御部１１は、このとき音楽データＤ１を正しく読み出せたか否かを判別する。このステップＳＰ８において肯定結果が得られると、このことは、このとき読み出した音楽データＤ１が破損してはいないことを表している。従って制御部１１は、かかる肯定結果を得ると、次のステップＳＰ９に移る。そしてステップＳＰ９において制御部１１は、表示処理部１７を制御して表示部１８に対し選択画面２０を表示させると共に、再生部１３を制御して音楽データＤ１に対する特徴位置からの再生を開始させて、次のステップＳＰ１０に移り、かかるリスト利用再生機能起動処理手順ＲＴ１を終了する。
【０１１９】
ところでステップＳＰ９において実際に制御部１１は、表示処理部１７に対し、選択画面２０自体を徐々に出現させるようなことは特にさせず、音楽データＤ１の再生開始に合わせて当該選択画面２０全体を本来の表示状態で１度に出現させるように表示させる。これにより制御部１１は、音楽データＤ１に対する特徴位置からの再生開始に合わせて出力され始める音楽がどのような音楽であるかを迅速に通知している。
【０１２０】
またステップＳＰ９において制御部１１は、再生部１３に対しては、音楽データＤ１の特徴位置からのフェードイン再生を開始させ、そのフェードイン再生が完了すると、そのまま通常再生に移行させている。すなわち、音楽データＤ１において特徴位置は、当該音楽データＤ１の途中であり、先頭位置に比べてデータレベルが格段的に高い場合がある。従って制御部１１は、リスト利用再生機能の起動に応じて最初に音楽データＤ１を特徴位置から再生するとき、その音楽データＤ１に基づき突然大音量の音楽が出力されることを回避している。
【０１２１】
因みに上述したステップＳＰ３において否定結果が得られると、このことはプレイリストＰＬのデータが破損していることを表している。従って制御部１１は、かかる否定結果を得ると、ステップＳＰ１１に移る。またステップＳＰ８において否定結果が得られると、このことは、このとき読み出した音楽データＤ１が破損していることを表している。従って制御部１１は、かかる否定結果を得たときも、ステップＳＰ１１に移る。そしてステップＳＰ１１において制御部１１は、エラー処理として、例えばユーザに対し音楽データＤ１を再生し得ないことを通知した後、ステップＳＰ１０に移る。このようにして制御部１１は、リスト利用再生機能を起動している。
【０１２２】
次いで、リスト利用再生機能の実行中におけるチャンネル切換処理について説明する。制御部１１は、リスト利用再生機能を実行している状態で、ユーザによる入力部１２の操作に応じてチャンネル切替命令が入力されると、図２１に示すチャンネル切替処理手順ＲＴ２を開始する。そして制御部１１は、かかるチャンネル切替処理手順ＲＴ２を開始すると、ステップＳＰ２１において、チャンネルリストＣＬに登録されているチャンネル番号ＣＮの並びと、ユーザにより指定されたチャンネル番号ＣＮの切替方向とに従い、現在選択中のチャンネルのチャンネル番号ＣＮを１増やしたチャンネル番号ＣＮ又は１減らしたチャンネル番号ＣＮのチャンネルを切替後のチャンネルとして判別し、次のステップＳＰ２２に移る。ステップＳＰ２２において制御部１１は、コンテンツデータ記憶部１４から切替後のチャンネルに割り当てられているプレイリストＰＬを読み出して、次のステップＳＰ２３に移る。
【０１２３】
ステップＳＰ２３において制御部１１は、プレイリストＰＬを正しく読み出せたか否かを判別する。このステップＳＰ２３において肯定結果が得られると、このことは、例えばプレイリストＰＬのデータが破損してはいないことを表している。従って制御部１１は、かかる肯定結果を得ると、次のステップＳＰ２４に移る。そしてステップＳＰ２４において制御部１１は、チャンネル変更時処理を実行する。
【０１２４】
ステップＳＰ２４において制御部１１は、チャンネル変更時処理として、例えばプレイリストＰＬのリスト属性情報ＬＡＴに含まれている再生形態情報ＰＭが、シャッフル再生形態を示していると、当該プレイリストＰＬで規定されている音楽データＤ１の再生順序を無作為に並べ替えた他の順序に変更するような処理を実行する。そして制御部１１は、このようなチャンネル変更時処理を実行した後、次のステップＳＰ２５に移る。
【０１２５】
ステップＳＰ２５において制御部１１は、プレイリストＰＬのリスト属性情報ＬＡＴに含まれている再生利用設定情報ＬＳに基づき、当該プレイリストＰＬを音楽データＤ１の再生に利用可能であるか否かを判別する。このステップＳＰ２５において否定結果が得られると、このことはプレイリストＰＬを音楽データＤ１の再生には利用しないことを表している。すなわち、かかる否定結果は、このとき判別したチャンネルに割り当てられているプレイリストＰＬに従い音楽データＤ１を再生し得ないことを表している。従って制御部１１は、かかる否定結果を得ると、ステップＳＰ２１に戻り、そのプレイリストＰＬに対応するチャンネルのチャンネル番号ＣＮを、さらに１増やしたチャンネル番号ＣＮ又は１減らしたチャンネル番号ＣＮのチャンネルを新たな切替後のチャンネルとして判別し、再び上述と同様の処理を実行する。
【０１２６】
ところでステップＳＰ２５において肯定結果が得られると、このことはプレイリストＰＬを音楽データＤ１の再生に利用し得ることを表している。すなわち、かかる肯定結果は、このとき判別したチャンネルに割り当てられているプレイリストＰＬ１に従い音楽データＤ１を再生し得ることを表している。従って制御部１１は、かかる肯定結果を得ると、次のステップＳＰ２６に移る。
【０１２７】
ステップＳＰ２６において制御部１１は、切替後のチャンネルに割り当てられているプレイリストＰＬに従い再生順序が１番目の音楽データＤ１をコンテンツデータ記憶部１４から読み出して、次のステップＳＰ２７に移る。ステップＳＰ２７において制御部１１は、このとき音楽データＤ１を正しく読み出せたか否かを判別する。このステップＳＰ２７において肯定結果が得られると、このことは、このとき読み出した音楽データＤ１が破損してはいないことを表している。従って制御部１１は、かかる肯定結果を得ると、次のステップＳＰ２８に移る。
【０１２８】
ステップＳＰ２８において制御部１１は、リスト利用再生機能の実行時に利用するように設定している１つの第１乃至第５の表示情報切替手法に従って表示処理部１７を制御することにより、表示部１８に表示されている現在表示情報５０を次表示情報５１へと切り替える。また制御部１１は、このとき、リスト利用再生機能の実行時に利用するように設定している１つの第１乃至第４の音楽データ切替手法に従って再生部１３を制御することにより、現在再生中の音楽データＤ１を第１又は第２のフェードアウト再生時間ＦＯＴ１又はＦＯＴ２をかけてフェードアウト再生させて、そのフェードアウト再生が完了すると、次のステップＳＰ２９に移る。そしてステップＳＰ２９において制御部１１は、リスト利用再生機能の実行時に利用するように設定している１つの第１乃至第４の音楽データ切替手法に従って再生部１３を制御することにより、切替後のチャンネルに対応する音楽データＤ１（すなわち、次の音楽データＤ１）に対する特徴位置からのフェードイン再生（すなわち、第１のフェードイン再生時間ＦＩＴ１のフェードイン再生）を開始させて、次のステップＳＰ３０に移り、かかるチャンネル切替処理手順ＲＴ２を終了する。
【０１２９】
因みに上述したステップＳＰ２３において否定結果が得られると、このことは、例えばプレイリストＰＬのデータが破損していることを表している。従って制御部１１は、かかる否定結果を得ると、ステップＳＰ３１に移る。またステップＳＰ２７において否定結果が得られると、このことは、例えば音楽データＤ１が破損していることを表している。従って制御部１１は、かかる否定結果を得たときも、ステップＳＰ３１に移る。そしてステップＳＰ３１において制御部１１は、エラー処理として、例えばユーザに対し音楽データＤ１を再生し得ないことを通知した後、ステップＳＰ３０に移る。このようにして制御部１１は、リスト利用再生機能の実行中に、ユーザの要求に応じてチャンネルを切り替えている。
【０１３０】
次いで、リスト利用再生機能の実行中における再生切替処理について説明する。制御部１１は、チャンネルの切り替えに応じてコンテンツデータ記憶部１４から読み出したプレイリストＰＬに従い再生順序が１番目の音楽データＤ１に対する特徴位置からのフェードイン再生を開始すると、図２２に示す再生切替処理手順ＲＴ３を開始する。そして制御部１１は、かかる再生切替処理手順ＲＴ３を開始すると、ステップＳＰ４１において、ユーザにより入力部１２を介して再生音楽切替命令及び音楽選択決定命令が入力されたか否かを判別する。このステップＳＰ４１において否定結果が得られると、このことは現在再生中の音楽データＤ１に基づく音楽がユーザに聴取されている途中であることを表している。従って制御部１１は、かかる否定結果を得ると、ステップＳＰ４２に移る。
【０１３１】
ステップＳＰ４２において制御部１１は、現在再生中の音楽データＤ１の再生が終了したか否かを判別する。このステップＳＰ４２において否定結果が得られると、このことは、音楽データＤ１が再生途中であることを表している。従って制御部１１は、かかる否定結果を得ると、ステップＳＰ４１に戻る。従って制御部１１は、この後、ステップＳＰ４１及びステップＳＰ４２において肯定結果を得るまでの間、当該ステップＳＰ４１及びステップＳＰ４２の処理を循環的に繰り返し実行することにより、ユーザにより入力部１２を介して再生音楽切替命令及び音楽選択決定命令が入力されること、また音楽データＤ１の再生が終了することを待ち受ける。
【０１３２】
ところでステップＳＰ４１において肯定結果が得られると、このことはユーザにより再生する音楽データＤ１を切り替えるように要求された、又は現在再生中の音楽データＤ１が所望の音楽データＤ１として選択決定されたことを表している。従って制御部１１は、かかる肯定結果を得ると、次のステップＳＰ４３に移る。ステップＳＰ４３において制御部１１は、このとき入力部１２を介して入力された命令が再生音楽切替命令であるか否かを判別する。このステップＳＰ４３において肯定結果が得られると、このことは、このときユーザにより音楽データＤ１を切り替えるように要求されたことを表している。従って制御部１１は、かかる肯定結果を得ると、次のステップＳＰ４４に移る。
【０１３３】
ステップＳＰ４４において制御部１１は、現在選択中のプレイリストＰＬに登録されているコンテンツ指示情報ＭＩＤの並び（シャッフル再生形態が指定されているときには、変更後の並び）と、ユーザにより指定された音楽データＤ１の切替方向とに従い、（再生しないように設定されている音楽データＤ１は除いて）現在再生中の音楽データＤ１よりも１つ前に再生する音楽データＤ１又は１つ後に再生する音楽データＤ１を切替後の音楽データＤ１として判別し、次のステップＳＰ４５に移る。そしてステップＳＰ４５において制御部１１は、コンテンツデータ記憶部１４から、その切替後の音楽データＤ１を読み出して、次のステップＳＰ４６に移る。
【０１３４】
ステップＳＰ４６において制御部１１は、このとき、切替後の音楽データＤ１を正しく読み出せたか否かを判別する。このステップＳＰ４６において否定結果が得られると、このことは、例えば切替後の音楽データＤ１が破損していることを表している。すなわち、かかる否定結果は、このとき読み出した音楽データＤ１を再生し得ないことを表している。従って制御部１１は、かかる否定結果を得ると、ステップＳＰ４４に戻り、（再生しないように設定されている音楽データＤ１は除いて）切替後の音楽データＤ１よりもさらに１つ前に再生する音楽データＤ１又は１つ後に再生する音楽データＤ１を新たな切替後の音楽データＤ１として判別し、再び上述と同様の処理を実行する。
【０１３５】
これに対してステップＳＰ４６において肯定結果が得られると、このことは、例えば切替後の音楽データＤ１が破損してはいないことを表している。すなわち、かかる肯定結果は、このとき読み出した音楽データＤ１を何ら問題なく再生し得ることを表している。従って制御部１１は、かかる肯定結果を得ると、次のステップＳＰ４７に移る。ステップＳＰ４７において制御部１１は、リスト利用再生機能の実行時に利用するように設定している１つの第１乃至第５の表示情報切替手法に従って表示処理部１７を制御することにより、表示部１８に表示されている現在表示情報５０を次表示情報５１へと切り替える。また制御部１１は、リスト利用再生機能の実行時に利用するように設定している１つの第１乃至第４の音楽データ切替手法に従って再生部１３を制御することにより、現在再生中の音楽データＤ１を第１又は第２のフェードアウト再生時間ＦＯＴ１又はＦＯＴ２をかけてフェードアウト再生させて、そのフェードアウト再生が完了すると、次のステップＳＰ４８に移る。
【０１３６】
そしてステップＳＰ４８において制御部１１は、引き続きリスト利用再生機能の実行時に利用するように設定している１つの第１乃至第４の音楽データ切替手法に従って再生部１３を制御することにより、切替後の音楽データＤ１（すなわち、次の音楽データＤ１）に対する特徴位置からのフェードイン再生（すなわち、第１のフェードイン再生時間ＦＩＴ１のフェードイン再生）を開始させて、次のステップＳＰ４９に移る。ステップＳＰ４９において制御部１１は、入力部１２を介してチャンネル切替命令が入力されたか否かを判別する。このステップＳＰ４９において否定結果が得られると、このことは、ユーザにより現在選択中のプレイリストＰＬに従い音楽データＤ１を再生するように要求されており、未だチャンネルの切り替えが要求されてはいないことを表している。従って制御部１１は、かかる否定結果を得ると、ステップＳＰ４１に戻る。
【０１３７】
ところでステップＳＰ４３において否定結果が得られると、このことは、このときユーザにより、現在特徴位置から再生中の音楽データＤ１が所望の音楽データＤ１として選択決定されたことを表している。従って制御部１１は、かかる否定結果を得ると、ステップＳＰ５０に移る。ステップＳＰ５０において制御部１１は、リスト利用再生機能の実行時に利用するように設定している１つの第１乃至第５の表示情報切替手法に従って表示処理部１７を制御することにより、表示部１８に表示されている選択画面２０を再生画面４０に切り替える。また制御部１１は、このときリスト利用再生機能の実行時に利用するように設定している１つの第１乃至第４の音楽データ切替手法に従って再生部１３を制御することにより、現在特徴位置から再生中の音楽データＤ１を第１又は第２のフェードアウト再生時間ＦＯＴ１又はＦＯＴ２をかけてフェードアウト再生させて、そのフェードアウト再生が完了すると、次のステップＳＰ５１に移る。そしてステップＳＰ５１において制御部１１は、再生部１３を制御して、フェードアウト再生の完了した音楽データＤ１に対する先頭位置からの通常再生を開始させて、ステップＳＰ４９に移る。
【０１３８】
また上述のステップＳＰ４２において肯定結果が得られると、このことは、ユーザにより、再生中の音楽データＤ１に基づく音楽が最後まで聴取され、その音楽データＤ１の再生が終了したことを表している。従って制御部１１は、かかる否定結果を得ると、ステップＳＰ５２に移る。ステップＳＰ５２において制御部１１は、現在選択中のプレイリストＰＬに登録されているコンテンツ指示情報ＭＩＤの並び（シャッフル再生形態が指定されているときには、変更後の並び）に従い、（再生しないように設定されている音楽データＤ１は除いて）再生の終了した音楽データＤ１の次に再生する音楽データＤ１を切替後の音楽データＤ１として判別し、次のステップＳＰ５３に移る。そしてステップＳＰ５３において制御部１１は、コンテンツデータ記憶部１４から、その切替後の音楽データＤ１を読み出して、次のステップＳＰ５４に移る。
【０１３９】
ステップＳＰ５４において制御部１１は、このとき、切替後の音楽データＤ１を正しく読み出せたか否かを判別する。このステップＳＰ５４において否定結果が得られると、このことは、例えば切替後の音楽データＤ１が破損していることを表している。すなわち、かかる否定結果は、このとき読み出した音楽データＤ１を再生し得ないことを表している。従って制御部１１は、かかる否定結果を得ると、ステップＳＰ５２に戻り、（再生しないように設定されている音楽データＤ１は除いて）切替後の音楽データＤ１のさらに次に再生する音楽データＤ１を新たな切替後の音楽データＤ１として判別し、再び上述と同様の処理を実行する。
【０１４０】
これに対してステップＳＰ５４において肯定結果が得られると、このことは、例えば切替後の音楽データＤ１が破損してはいないことを表している。すなわち、かかる肯定結果は、このとき読み出した音楽データＤ１を何ら問題なく再生し得ることを表している。従って制御部１１は、かかる肯定結果を得ると、次のステップＳＰ５５に移る。ステップＳＰ５５において制御部１１は、表示処理部１７を制御して、表示部１８に表示されている選択画面２０としての現在表示情報５０を、再生画面４０としての次表示情報５１へと切り替える。また制御部１１は、このとき再生部１３を制御して、切替後の音楽データＤ１に対する先頭位置からの通常再生を開始して、次のステップＳＰ４９に移る。
【０１４１】
このようにして制御部１１は、この後、ステップＳＰ４９において肯定結果が得られるまでの間、上述した一連の処理を実行することにより、プレイリストＰＬに登録されている複数の音楽データＤ１を順次再生することができる。ところで上述したステップＳＰ４９において肯定結果が得られると、このことは、ユーザにより、プレイリストＰＬの変更のために、チャンネルの切り替えが要求されたことを表している。従って制御部１１は、かかる肯定結果を得ると、次のステップＳＰ５６に移って、かかる再生切替処理手順ＲＴ３を終了する。
【０１４２】
次いで、再生音楽切替命令の入力間隔に応じて第１の制御手法により、第１及び第２のフェードアウト再生時間ＦＯＴ１及びＦＯＴ２と、第１のフェードイン再生時間ＦＩＴ１を短くするように制御するときの時間設定処理について説明する。制御部１１は、チャンネルの切り替えに応じてコンテンツデータ記憶部１４からプレイリストＰＬを読み出すと、図２３に示す時間設定処理手順ＲＴ４を開始する。制御部１１は、かかる時間設定処理手順ＲＴ４を開始すると、ステップＳＰ６１において、このとき読み出したプレイリストＰＬに対応する再生可能データ数を検出して、次のステップＳＰ６２に移る。
【０１４３】
ステップＳＰ６２において制御部１１は、再生可能データ数と第１のデータ閾値とを比較し、その比較結果に基づいて、再生可能データ数が第１のデータ閾値よりも少ないか否かを判別する。このステップＳＰ６２において肯定結果が得られると、このことは、プレイリストＰＬに登録され、再生するように設定されている音楽データＤ１が比較的少ないことを表している。従って制御部１１は、かかる肯定結果を得ると、次のステップＳＰ６３に移る。そしてステップＳＰ６３において制御部１１は、音楽データＤ１の再生を切り替える際のフェードアウト再生時間とフェードイン再生時間を、再生可能データ数が第１のデータ閾値よりも少ないことを示す第１の条件に応じた第１又は第４の変更フェードアウト再生時間ＣＦＯＴ１と第１の変更フェードイン再生時間ＣＦＩＴ１に設定した後、次のステップＳＰ６４に移り、かかる時間設定処理手順ＲＴ４を終了する。因みにステップＳＰ６３において制御部１１は、このとき第２乃至第５の表示情報切替手法を利用するように設定していると、表示情報を切り替える際の表示消滅時間と表示出現時間も、第１の条件に応じた第１又は第４の変更表示消滅時間ＣＤＯＴ１と第１の変更表示出現時間ＣＤＩＴ１に設定する。
【０１４４】
ところでステップＳＰ６２において否定結果が得られると、このことはプレイリストＰＬに登録され、再生するように設定されている音楽データＤ１が比較的多いことを表している。従って制御部１１は、かかる否定結果を得ると、ステップＳＰ６５に移る。そしてステップＳＰ６５において制御部１１は、再生可能データ数と第２のデータ閾値とを比較し、その比較結果に基づいて、再生可能データ数が第１のデータ閾値以上でかつ第２のデータ閾値よりも少ないか否かを判別する。このステップＳＰ６５において肯定結果が得られると、このことは、再生するように設定されている音楽データＤ１がある程度の数だけプレイリストＰＬに登録されていることを表している。従って制御部１１は、かかる肯定結果を得ると、次のステップＳＰ６６に移る。そしてステップＳＰ６６において制御部１１は、音楽データＤ１の再生を切り替える際のフェードアウト再生時間とフェードイン再生時間を、再生可能データ数が第１のデータ閾値以上でかつ第２のデータ閾値よりも少ないことを示す第２の条件に応じた第２又は第５の変更フェードアウト再生時間ＣＦＯＴ２と第２の変更フェードイン再生時間ＣＦＩＴ２に設定した後、次のステップＳＰ６４に移り、かかる時間設定処理手順ＲＴ４を終了する。因みにステップＳＰ６６において制御部１１は、このとき第２乃至第５の表示情報切替手法を利用するように設定していると、表示情報を切り替える際の表示消滅時間と表示出現時間も、第２の条件に応じた第２又は第５の変更表示消滅時間ＣＤＯＴ２と第２の変更表示出現時間ＣＤＩＴ２に設定する。
【０１４５】
またステップＳＰ６５において否定結果が得られると、このことは、再生するように設定されている多数の音楽データＤ１がプレイリストＰＬに登録されていることを表している。従って制御部１１は、かかる否定結果を得ると、ステップＳＰ６７に移る。そしてステップＳＰ６７において制御部１１は、音楽データＤ１の再生を切り替える際のフェードアウト再生時間ｊフェードイン再生時間を、再生可能データ数が第２のデータ閾値以上であることを示す第３の条件に応じた第３又は第６の変更フェードアウト再生時間ＣＦＯＴ３と第３の変更フェードイン再生時間ＣＦＩＴ３に設定した後、次のステップＳＰ６４に移り、かかる時間設定処理手順ＲＴ４を終了する。因みにステップＳＰ６７において制御部１１は、このとき第２乃至第５の表示情報切替手法を利用するように設定していると、表示情報を切り替える際の表示消滅時間と表示出現時間も、第３の条件に応じた第３又は第６の変更表示消滅時間ＣＤＯＴ３と第３の変更表示出現時間ＣＤＩＴ３に設定する。
【０１４６】
これにより制御部１１は、ユーザにより音楽データＤ１の切り替えを要求するために入力部１２がすばやく操作されたときには、現在再生中の音楽データＤ１Ａ及び次の音楽データＤ１Ｂを、プレイリストＰＬに登録されている音楽データＤ１の数に応じて設定した第１乃至第６の変更フェードアウト再生時間ＣＦＯＴ１乃至ＣＦＯＴ３及び第１乃至第３の変更フェードイン再生時間ＣＦＩＴ１乃至ＣＦＩＴ３でフェードアウト再生及びフェードイン再生するようにして迅速に切り替えることができる。因みに制御部１１は、このとき第２乃至第５の表示情報切替手法を利用するように設定していると、現在表示情報５０及び次表示情報５１を、プレイリストＰＬに登録されている音楽データＤ１の数に応じて設定した第１乃至第６の変更表示消滅時間ＣＤＯＴ１乃至ＣＤＯＴ３及び第１乃至第３の変更表示出現時間ＣＤＩＴ１乃至ＣＤＩＴ３ですばやく消滅させると共にすばやく出現させるようにして迅速に切り替えることができる。
【０１４７】
次いで、再生音楽切替命令の入力間隔に応じて第２の制御手法により、第１及び第２のフェードアウト再生時間ＦＯＴ１及びＦＯＴ２と第１のフェードイン再生時間ＦＩＴ１とを短くするように制御するときの時間変更処理について説明する。制御部１１は、チャンネルの切り替えに応じてコンテンツデータ記憶部１４から読み出したプレイリストＰＬに従い音楽データＤ１を再生している状態で、前回の再生音楽切替命令の入力から、第１の入力間隔閾値を下回るようなすばやさ（すなわち、第１の入力間隔閾値よりも短い入力間隔時間）で次の再生音楽切替命令が入力されると、図２４に示す時間変更処理手順ＲＴ５を開始する。
【０１４８】
制御部１１は、かかる時間変更処理手順ＲＴ５を開始すると、ステップＳＰ７１において、前回の再生音楽切替命令の入力から今回の再生音楽切替命令の入力までの入力間隔時間と、第２の入力間隔閾値とを比較し、その比較結果に基づいて、当該入力間隔時間が第２の入力間隔閾値よりも短いか否かを判別する。このステップＳＰ７１において否定結果が得られると、ユーザにより入力部１２が音楽データＤ１の切替要求用に格段的にすばやく操作されたことを表している。従って制御部１１は、かかる肯定結果を得ると、次のステップＳＰ７２に移る。そしてステップＳＰ７２において制御部１１は、音楽データＤ１の再生を切り替える際のフェードアウト再生時間とフェードイン再生時間を、入力間隔時間が第２の入力間隔閾値よりも短いことを示す第５の条件に応じた第８又は第１０の変更フェードアウト再生時間ＣＦＯＴ５と第５の変更フェードイン再生時間ＣＦＩＴ５に変更した後、次のステップＳＰ７３に移り、かかる時間変更処理手順ＲＴ５を終了する。因みにステップＳＰ７２において制御部１１は、このとき第２乃至第５の表示情報切替手法を利用するように設定していると、表示情報を切り替える際の表示消滅時間と表示出現時間も、第５の条件に応じた第８又は第１０の変更表示消滅時間ＣＤＯＴ５と第５の変更表示出現時間ＣＤＩＴ５に変更する。
【０１４９】
またステップＳＰ７１において否定結果が得られると、このことは、ユーザにより入力部１２が音楽データＤ１の切替要求用に比較的すばやく操作されたことを表している。従って制御部１１は、かかる否定結果を得ると、次のステップＳＰ７４に移る。そしてステップＳＰ７４において制御部１１は、音楽データＤ１の再生を切り替える際のフェードアウト再生時間とフェードイン再生時間を、入力間隔時間が第２の入力間隔閾値以上でかつ第１の入力間隔閾値よりも短いことを示す第４の条件に応じた第７又は第９の変更フェードアウト再生時間ＣＦＯＴ４と第４の変更フェードイン再生時間ＣＦＩＴ４に変更した後、次のステップＳＰ７３に移り、かかる時間変更処理手順ＲＴ５を終了する。因みにステップＳＰ７４において制御部１１は、このとき第２乃至第５の表示情報切替手法を利用するように設定していると、表示情報を切り替える際の表示消滅時間と表示出現時間も、第４の条件に応じた第７又は第９の変更表示消滅時間ＣＤＯＴ４と第４の変更表示出現時間ＣＤＩＴ４に変更する。
【０１５０】
これにより制御部１１は、ユーザにより音楽データＤ１の切り替えを要求するために入力部１２がすばやく操作されたときには、現在再生中の音楽データＤ１Ａ及び次の音楽データＤ１Ｂを、そのすばやさの度合いに応じて変更した第７乃至第１０の変更フェードアウト再生時間ＣＦＯＴ４及びＣＦＯＴ５と第４及び第５の変更フェードイン再生時間ＣＦＩＴ４及びＣＦＩＴ５とでフェードアウト再生及びフェードイン再生するようにして迅速に切り替えることができる。因みに制御部１１は、このとき第２乃至第５の表示情報切替手法を利用するように設定していると、現在表示情報５０及び次表示情報５１を、そのすばやさの度合いに応じて変更した第７乃至第１０の変更表示消滅時間ＣＤＯＴ４及びＣＤＯＴ５と第４及び第５の変更表示出現時間ＣＤＩＴ４及びＣＤＩＴ５ですばやく消滅させると共にすばやく出現させるようにして迅速に切り替えることができる。
【０１５１】
次いで、プレイリストＰＬを音楽データＤ１の再生に利用するか否かを選択させる際に当該プレイリストＰＬに登録されている複数の音楽データＤ１を順次再生する連続再生処理について説明する。制御部１１は、表示処理部１７により表示部１８に表示された再生利用設定画面６０上で、ユーザにより入力部１２を介してプレイリストＰＬが指示されると、これに応じてコンテンツデータ記憶部１４から当該指示されたプレイリストＰＬを読み出す。そして制御部１１は、コンテンツデータ記憶部１４から、そのプレイリストＰＬに従い再生順序が１番目の音楽データＤ１を読み出すと、図２５に示す連続再生処理手順ＲＴ６を開始する。ただし制御部１１は、かかる連続再生処理手順ＲＴ６については、コンテンツデータ記憶部１４からプレイリストＰＬに従い複数の音楽データＤ１を順次読み出す処理と並行して実行している。
【０１５２】
制御部１１は、かかる連続再生処理手順ＲＴ６を開始すると、ステップＳＰ８１において、再生部１３を制御して、このとき読み出した音楽データＤ１Ａに対する特徴位置からのフェードイン再生を開始させて、次のステップＳＰ８２に移る。ステップＳＰ８２において制御部１１は、再生部１３により、フェードイン再生を開始した音楽データＤ１が、そのフェードイン再生の完了時点から、さらに一定時間ＣＴ通常再生されることを待ち受ける。そして制御部１１は、かかる音楽データＤ１がフェードイン再生の完了時点から一定時間ＣＴ通常再生されると、次のステップＳＰ８３に移る。
【０１５３】
ステップＳＰ８３において制御部１１は、再生部１３を制御して、フェードイン再生の完了時点から一定時間ＣＴ通常再生した音楽データＤ１のフェードアウト再生を開始させて、次のステップＳＰ８４に移る。ステップＳＰ８４において制御部１１は、再生部１３において、音楽データＤ１に対するフェードアウト再生が完了することを待ち受ける。その結果、制御部１１は、かかる音楽データＤ１のフェードアウト再生が完了すると、ステップＳＰ８１に戻る。
【０１５４】
このようにして制御部１１は、表示処理部１７により表示部１８に表示された再生利用設定画面６０上で、ユーザにより入力部１２を介してプレイリストＰＬが指示され続けている間は、コンテンツデータ記憶部１４から、そのプレイリストＰＬに従い順次音楽データＤ１を読み出しながら、かかる連続再生処理手順ＲＴ６を循環的に繰り返し実行する。これにより制御部１１は、プレイリストＰＬに登録されている音楽データＤ１に基づく音楽の一部を実際に試聴させながら、ユーザに対し、プレイリストＰＬを音楽データＤ１の再生に利用するか否かを選択させることができる。
【０１５５】
（１−３）動作及び効果
以上の構成において、再生装置１０は、ユーザにより入力部１２を介してチャンネルとしてプレイリストＰＬが選択されると、当該プレイリストＰＬに従い、これに登録された音楽データＤ１Ａを特徴位置からフェードイン再生して当該フェードイン再生が完了すると、そのまま通常再生する。そして再生装置１０は、かかる音楽データＤ１Ａの再生が終了する前に、ユーザにより入力部１２を介して再生音楽切替命令やチャンネル切替命令が入力されると、現在再生中の音楽データＤ１Ａをフェードアウト再生し、そのフェードアウト再生が完了すると、引き続きプレイリストＰＬに従い次の音楽データＤ１Ｂの特徴位置からのフェードイン再生を開始し、かかるフェードイン再生が完了すると、そのまま通常再生する。このようにして再生装置１０は、ユーザにより入力部１２を介して再生音楽切替命令やチャンネル切替命令が入力される毎に音楽データＤ１を切り替えて特徴位置から再生することにより、これら複数の音楽データＤ１に基づく複数の音楽の一部を連続して試聴させる。
【０１５６】
そして再生装置１０は、入力部１２を介して再生音楽切替命令やチャンネル切替命令が入力されたときには、表示部８に表示していた、現在再生中の音楽データＤ１Ａに関する現在表示情報５０を、次の音楽データＤ１Ｂに関する次表示情報５１に切り替える。従って再生装置１０は、現在再生中の音楽データＤ１Ａから次の音楽データＤ１Ｂへの再生の切り替えを、表示部１８に対する現在表示情報５０から次表示情報５１への表示の切り替えと、連続的な当該現在再生中の音楽データＤ１Ａに対するフェードアウト再生及び次の音楽データＤ１Ｂに対するフェードイン再生とにより視覚的及び聴覚的に通知することができる。
【０１５７】
以上の構成によれば、再生装置１０は、音楽データＤ１の再生中に入力部１２を介して再生音楽切替命令やチャンネル切替命令が入力されると、表示部１８に対し、現在再生中の音楽データＤ１Ａに関する現在表示情報５０から、次の音楽データＤ１Ｂに関する次表示情報５１へと切り替えて表示すると共に、現在再生中の音楽データＤ１Ａをフェードアウト再生し、そのフェードアウト再生が完了すると、次の音楽データＤ１Ｂをフェードイン再生するようにした。これにより再生装置１０は、現在再生中の音楽データＤ１Ａから次の音楽データＤ１Ｂへの再生の切り替えを、表示部１８に対する、現在表示情報５０から次表示情報５１への切り替えと、連続的な当該現在再生中の音楽データＤ１Ａに対するフェードアウト再生及び次の音楽データＤ１Ｂに対するフェードイン再生とにより視覚的及び聴覚的に通知することができる。よって再生装置１０は、音楽データＤ１の再生の切り替えを的確に通知することができる。
【０１５８】
また再生装置１０は、ユーザの要求に応じて音楽データＤ１を切り替えるとき、現在再生中の音楽データＤ１Ａに対するフェードアウト再生を開始してから、そのフェードアウト再生が完了するまでの間に、表示部１８に対する現在表示情報５０から次表示情報５１への表示の切り替えを完了させるようにした。従って再生装置１０は、ユーザに対し、表示情報の切り替えによって視覚的に、音楽データＤ１の切り替えを迅速に通知することができる。また再生装置１０は、例えば、切替前の音楽データＤ１Ａに基づく音楽が、その曲調等に応じて元々途中で音量を大幅に低下させるような構成であっても、このような音楽の構成が、音楽データＤ１の切り替えであると誤って認識されることを的確に回避することができる。特に再生装置１０は、第１の表示情報切替手法を利用するように設定している場合、ユーザにより音楽データＤ１の切り替えが要求されたとき（すなわち、入力部１２を介して再生音楽切替命令やチャンネル切替命令が入力されたとき）、現在表示情報５０及び次表示情報５１を徐々に消滅させたり徐々に出現させたりせずに切り替えるため、音楽データＤ１の切り替えをより迅速に通知することができる。
【０１５９】
さらに再生装置１０は、ユーザの要求に応じて音楽データＤ１を切り替える場合、第３及び第５の表示情報切替手法を利用すると、現在表示情報５０を徐々に消滅させつつ、その消滅が完了する前に、次表示情報５１を徐々に出現させ始めるようにして、これら現在表示情報５０と次表示情報５１とを一時的に重複させて表示するようにした。従って再生装置１０は、第１及び第２の表示消滅時間ＤＯＴ１及びＤＯＴ２と、第１の表示出現時間ＤＩＴ１とが予め選定されているものの、表示情報の一時的な重複表示を実行しない場合に比べて、現在表示情報５０の消滅の開始時点から次表示情報５１の出現完了時点までの情報切替時間ＤＳＣＴ２及びＤＳＣＴ４を短くすることができると共に、表示情報の一時的な重複表示によっても視覚的に、音楽データＤ１の切り替えを通知することができる。
【０１６０】
さらに再生装置１０は、ユーザにより入力部１２を介して再生音楽切替命令やチャンネル切替命令が入力されると、上述したように現在再生中の音楽データＤ１Ａをフェードアウト再生し、そのフェードアウト再生が完了すると、次の音楽データＤ１Ｂを特徴位置からフェードイン再生するようにした。従って再生装置１０は、現在再生中の音楽データＤ１Ａをフェードアウト再生すると共に、次の音楽データＤ１Ｂを特徴位置からフェードイン再生することで、現在再生中の音楽データＤ１Ａに基づく音楽が突然途切れ、また次の音楽データＤ１Ｂに基づく音楽が突然大音量で出力され、ユーザに不快感を与えることを未然に回避することができる。また再生装置１０は、ユーザに対し複数の音楽データＤ１に基づく複数の音楽の特徴部分を連続して試聴させることができ、これらがどのような音楽（例えば、ユーザの知っている音楽やユーザの好みの印象に近い音楽等）であるかを確認させることができる。そして再生装置１０は、この際、ユーザにより音楽データＤ１を切り替えるように要求される毎に、順次音楽データＤ１を切り替えて再生するため、個々の音楽の特徴部分をユーザに対し所望の長さ聴かせることができ、これら音楽が所望の音楽であるか否かを的確に確認させることができる。
【０１６１】
これに加えて再生装置１０は、ユーザの要求に応じて音楽データＤ１を切り替える場合、第３及び第４の音楽データ切替手法を利用すると、第２のフェードアウト再生時間ＦＯＴ２を第１のフェードイン再生時間ＦＩＴ１よりも長くすることで、再生を停止する音楽データＤ１Ａに基づく音楽については余韻を楽しませることができると共に、次の音楽データＤ１Ｂに基づく音楽については、なかなか音量が上がらずに、苛立ちを感じさせるようなことを回避することができる。また再生装置１０は、ユーザの要求に応じて音楽データＤ１を切り替える場合、第２及び第４の音楽データ切替手法を利用すると、現在再生中の音楽データＤ１Ａに対するフェードアウト再生の完了部分と、次の音楽データＤ１Ｂのフェードイン再生の開始部分とを重ねるクロスフェードを実行するようにした。従って再生装置１０は、第１及び第２のフェードアウト再生時間ＦＯＴ１及びＦＯＴ２と、第１のフェードイン再生時間ＦＩＴ１とが予め選定されているものの、クロスフェードを実行しない場合に比べて、フェードアウト再生の開始時点からフェードイン再生の完了時点までの音楽データ切替時間ＤＣＴ１及びＤＣＴ４を短くすることができ、かくして音楽データＤ１の切り替えを迅速に完了させることができる。そして再生装置１０は、クロスフェードを実行した場合、切替前後の音楽が一部重複して出力されるため、音の重複によっても音楽データＤ１の切り替えを通知することができる。
【０１６２】
さらに再生装置１０は、入力部１２を介して再生音楽切替命令が入力されると、音楽データＤ１Ａに対する特徴位置からのフェードイン再生を開始して、何ら命令が入力されないまま、当該音楽データＤ１Ａのフェードイン再生に続く通常再生が終了すると、次の音楽データＤ１Ｂの先頭位置からの通常再生を開始するようにした。これにより再生装置１０は、複数の音楽データＤ１を順次特徴位置から再生している途中に、音楽データＤ１の全体を順次再生するように要望された場合、音楽データＤ１Ａに対する特徴位置からの再生に引き続き、そのまま次の音楽データＤ１Ｂの全体を再生するように何ら指示させなくても、当該音楽データＤ１Ａの一部再生から次の音楽データＤ１Ｂの全体再生へと容易に移行することができる。
【０１６３】
さらに再生装置１０は、音楽データＤ１Ａに対する特徴位置からの再生途中に、ユーザにより入力部１２を介して、現在再生中の音楽データＤ１Ａを所望の音楽データＤ１として選択決定する音楽選択決定命令が入力されると、現在再生中の音楽データＤ１Ａをフェードアウト再生して、このフェードアウト再生が完了すると、同一の音楽データＤ１Ａを先頭位置から通常再生するようにした。従って再生装置１０は、複数の音楽データＤ１に基づく複数の音楽の一部を連続して試聴させながら、例えばユーザにより、試聴されている音楽が気に入られると、これに応じて、その音楽を頭から改めて聴かせることができる。すなわち再生装置１０は、実際に複数の音楽の一部を連続して試聴させて、個々の音楽がどのような音楽であるかを確認させながら、所望の音楽を選択させて、改めて当該所望の音楽を頭から聴かせることができる。
【０１６４】
さらに再生装置１０は、ユーザにより入力部１２が比較的すばやく操作されたときには、再生音楽切替命令の入力間隔に応じてフェードアウト再生時間及びフェードイン再生時間を短く制御するようにした。従って再生装置１０は、音楽データＤ１の切り替えが要求された時点から実際に音楽データＤ１の再生が切り替わるまでの時間（すなわち、音楽データ切替時間）を段階的に短くすることができる。これにより再生装置１０は、ユーザの操作に対し音楽データＤ１の切り替えが追従せずに苛立ちを感じさせるようなことを回避することができる。また再生装置１０は、音楽データ切替時間の短縮に合わせて、現在表示情報５０から次表示情報５１への表示の切り替えに要する時間（すなわち、情報切替時間）も段階的に短くしている。従って制御部１１は、これら現在表示情報５０から次表示情報５１への表示の切り替えによっても、操作に苛立ちを感じさせるようなことを回避することができる。
【０１６５】
さらにまた再生装置１０は、コンテンツデータ記憶部１４に対し、所望のキーワード等で検索した音楽データＤ１を登録している複数種類のプレイリストＰＬを記憶している。従って再生装置１０は、ユーザに対し、これらプレイリストＰＬを選択させるようにして、所望の音楽データＤ１を探索するための範囲をある程度絞らせたうえで、そのプレイリストＰＬに登録されている音楽データＤ１に基づく音楽の一部を実際に試聴させて、所望の音楽データＤ１を選択させることができる。そして再生装置１０は、ユーザにより入力部１２を介して入力されるチャンネル切替命令に応じて、プレイリストＰＬを切り替える場合、切替後のプレイリストＰＬに登録されている音楽データＤ１についても特徴位置からのフェードイン再生を開始するようにした。従って再生装置１０は、プレイリストＰＬを切り替えたときでも、切替後のプレイリストＰＬに登録されている音楽データＤ１に基づく音楽の一部を試聴させることができ、当該プレイリストＰＬに登録されている音楽データＤ１を比較的短時間に確認させることができる。
【０１６６】
（１−４）他の実施の形態
なお上述した第１の実施の形態においては、ユーザの要求に応じて音楽データＤ１を切り替えるとき、現在再生中の音楽データＤ１Ａに対するフェードアウト再生の開始時点から完了時点までの間に、表示部１８に対する現在表示情報５０から次表示情報５１への表示の切り替えを完了させるようにした場合について述べたが、本発明はこれに限らず、ユーザの要求に応じて音楽データＤ１を切り替えるとき、現在再生中の音楽データＤ１Ａに対するフェードアウト再生の開始時点から完了時点までの間に、表示部１８に対し、次表示情報５１の少なくとも一部を表示し始める（例えば、次表示情報５１を徐々に出現させ始める）ようにして、現在再生中の音楽データＤ１Ａのフェードアウト再生の開始時点から次の音楽データＤ１Ｂのフェードイン再生の完了時点までの間に、表示部１８に対する現在表示情報５０から次表示情報５１への表示の切り替えを完了させるようにしても良い。
【０１６７】
かかる構成の場合も再生装置１０は、フェードアウト再生及びフェードイン再生により、切替前の音楽データＤ１Ａに対する通常再生の状態から次の音楽データＤ１Ｂを通常再生するまでに多少の時間を要するものの、表示情報の切り替えによって視覚的に、音楽データＤ１の切り替えを比較的迅速に通知することができる。また再生装置１０は、例えば、切替前の音楽データＤ１Ａに基づく音楽が、その曲調等に応じて元々途中で音量を大幅に低下させるような構成であっても、このような音楽の構成が、音楽データＤ１の切り替えであると誤って認識されることを的確に回避することができる。
【０１６８】
また上述した第１の実施の形態においては、第３及び第４の音楽データ切替手法において、第１のフェードイン再生時間ＦＩＴ１を 500〔msec〕程度に選定し、第２のフェードアウト再生時間ＦＯＴ２を 750〔msec〕程度に選定するようにした場合について述べたが、本発明はこれに限らず、フェードアウト再生時間をフェードイン再生時間よりも長くすれば、当該フェードアウト再生時間及びフェードイン再生時間を、 750〔msec〕対 500〔msec〕のような３対２の比率で、それぞれ他の時間を選定しても良いし、このような比率にかかわらずにそれぞれ他の時間を選定するようにしても良い。
【０１６９】
さらに上述した第１の実施の形態においては、プレイリストＰＬを音楽データＤ１の再生に利用するか否かを設定する際に、当該プレイリストＰＬに登録されている複数の音楽データＤ１を順次フェードイン再生及びフェードアウト再生しながら一定時間ＣＴ通常再生するようにした場合について述べたが、本発明はこれに限らず、プレイリストＰＬを音楽データＤ１の再生に利用するか否かを設定する際に、当該プレイリストＰＬに登録されている複数の音楽データＤ１を順次フェードイン再生及びフェードアウト再生しながら、そのプレイリストＰＬに登録されている音楽データＤ１の数（再生するように設定している音楽データＤ１のみの数と、再生しないように設定している音楽データＤ１の数との何れか一方又は統合した数の何れでも良い）に応じて通常再生する一定時間ＣＴを変更する（例えば、数が多いほど一定時間ＣＴを短くするように変更する）ようにしても良い。
【０１７０】
これに加えて、再生装置１０では、プレイリストＰＬを音楽データＤ１の再生に利用するか否かを設定する際に、当該プレイリストＰＬに登録されている複数の音楽データＤ１を、そのプレイリストＰＬに登録されている音楽データＤ１の数（再生するように設定している音楽データＤ１のみの数と、再生しないように設定している音楽データＤ１の数との何れか一方又は統合した数の何れでも良い）に応じて、所定数おきに飛び越し再生する（例えば、数が多いほど、飛び越す間隔をあけるように再生する）ようにしても良い。これにより再生装置１０は、プレイリストＰＬを音楽データＤ１の再生に利用するか否かを設定する際に、当該プレイリストＰＬに登録されている音楽データＤ１の大まかな数を直感的に認識させることができ、その結果、音楽データＤ１の数を、プレイリストＰＬを音楽データＤ１の再生に利用するか否かを設定する際の参考にさせ、又は、今後、当該プレイリストＰＬを再構成する際に参考にさせることができる。
【０１７１】
さらに上述した第１の実施の形態においては、プレイリストＰＬを音楽データＤ１の再生に利用するか否かを設定する際に、当該プレイリストＰＬに登録されている複数の音楽データＤ１を順次フェードイン再生及びフェードアウト再生しながら一定時間ＣＴ通常再生するようにした場合について述べたが、本発明はこれに限らず、リスト利用再生機能の実行時に、ユーザによりチャンネルを介してプレイリストＰＬが選択された際に、そのプレイリストＰＬに登録されている複数の音楽データＤ１を順次フェードイン再生及びフェードアウト再生しながら一定時間ＣＴ通常再生するようにしても良い。これにより再生装置１０は、ユーザに対し音楽データＤ１の切り替えを要求させる操作を何ら行わせることなく、プレイリストＰＬに登録されている複数の音楽データＤ１に基づく複数の音楽の一部を連続的に聴かせて、所望の音楽データＤ１を容易に検索させることができる。
【０１７２】
さらに上述した第１の実施の形態においては、ユーザにより入力部１２が比較的すばやく操作されたときに、再生音楽切替命令の入力間隔に応じてフェードアウト再生時間及びフェードイン再生時間を制御するようにした場合について述べたが、本発明はこれに限らず、例えば朝、昼、夕、夜、深夜等のように、プレイリストＰＬに従って音楽データＤ１を再生する時間帯に応じて、例えば、一日の中で時間が早いほど（すなわち、朝）フェードアウト再生時間及びフェードイン再生時間を短くし、時間が遅いほど（すなわち、深夜）フェードアウト再生時間及びフェードイン再生時間を長くするようにして、当該フェードアウト再生時間及びフェードイン再生時間を制御するようにしても良い。
【０１７３】
さらに上述した第１の実施の形態においては、ユーザにより入力部１２が比較的すばやく操作されたときに、再生音楽切替命令の入力間隔に応じてフェードアウト再生時間及びフェードイン再生時間を制御するようにした場合について述べたが、本発明はこれに限らず、例えば入力部１２に設けられた操作キーが長押しされたときに、その長押しされた時間に応じて、例えば長押しの時間が長いほどフェードアウト再生時間及びフェードイン再生時間を短くするようにして、当該フェードアウト再生時間及びフェードイン再生時間を制御するようにしても良い。因みに再生装置１０は、このように操作キーの長押しに応じてフェードアウト再生時間及びフェードイン再生時間を制御するとき、これに合わせて、例えば長押しの時間が長いほど、プレイリストＰＬに従って再生する音楽データＤ１の飛び越し間隔をあけるようにして、複数の音楽データＤ１に対する飛び越し再生の間隔を制御するようにしても良い。
【０１７４】
さらに上述した第１の実施の形態においては、ユーザにより入力部１２が比較的すばやく操作されたときに、再生音楽切替命令の入力間隔に応じてフェードアウト再生時間及びフェードイン再生時間を制御するようにした場合について述べたが、本発明はこれに限らず、例えば、チャンネルを切り替えるときには、フェードアウト再生時間及びフェードイン再生時間を比較的短くし、音楽データＤ１を切り替えるときには、フェードアウト再生時間及びフェードイン再生時間をチャンネル切替時よりも長くするようにして（又は、その逆にして）、当該フェードアウト再生時間及びフェードイン再生時間を制御するようにしても良い。
【０１７５】
さらに上述した第１の実施の形態においては、表示処理部１７により表示部１８に対し再生画面４０が表示されている状態で、ユーザによりチャンネルや音楽データＤ１を切り替えるように要求されると（すなわち、チャンネル切替命令や再生音楽切替命令が入力されると）、これに応じて表示部１８に対し再生画面４０から選択画面２０へと切り替えて表示するようにした場合について述べたが、本発明はこれに限らず、表示処理部１７により表示部１８に対し再生画面４０が表示されている状態で、ユーザによりチャンネルや音楽データＤ１を切り替えるように要求されても（すなわち、チャンネル切替命令や再生音楽切替命令が入力されても）、表示部１８に対し、そのまま再生画面４０を表示させつつ、当該再生画面４０の表示内容を更新（すなわち、現在表示情報５０から次表示情報５１へ変更）するようにしても良い。
【０１７６】
さらに上述した第１の実施の形態においては、音楽データＤ１の特徴位置からの再生途中に所望の音楽データＤ１として選択決定され（すなわち、音楽選択決定命令が入力され）、また音楽データＤ１を後尾位置まで再生すると、これに応じて表示部１８に対し選択画面２０から再生画面４０へと切り替えて表示するようにした場合について述べたが、本発明はこれに限らず、音楽データＤ１の特徴位置からの再生時間が所定時間（すなわち、特徴位置から後尾位置までの再生に要する再生時間よりも短い所定時間）に達したとき、これに応じて表示部１８に対し、現在表示情報５０はそのままに選択画面２０から再生画面４０へと切り替えて表示しておくようにしても良い。
【０１７７】
（２）第２の実施の形態
次いで、図２６を用いて第２の実施の形態による再生装置３００のハードウェア回路ブロックによるハードウェア回路構成を示す。かかる再生装置３００は、当該再生装置３００の筐体表面やリモートコントローラ（図示せず）に設けられた各種操作ボタンでなる操作入力部３０１がユーザによって操作されると、当該操作入力部３０１でこれを認識し、その操作に応じた操作入力信号を入力処理部３０２に送出する。入力処理部３０２は、供給される操作入力信号に対して所定の処理を施すことにより、当該操作入力信号を操作コマンドに変換し、これをバス３０３を介して中央処理ユニット（CPU:Central Processing Unit ）３０４に送出する。
【０１７８】
中央処理ユニット３０４は、ＲＯＭ（Read Only Memory）３０５又はハードディスクドライブ３０６に予め記憶されている基本プログラムやアプリケーションプログラム等の各種プログラムをバス３０３を介してＲＡＭ（Random Access Memory）３０７に読み出す。そして中央処理ユニット３０４は、ＲＡＭ３０７上で展開したこれら各種プログラムに従って全体を制御すると共に、所定の演算処理や、入力処理部３０２から与えられる操作コマンドに応じた各種処理を実行する。
【０１７９】
これにより中央処理ユニット３０４は、通信処理部３０８及びネットワークインタフェース３０９を順次介してネットワークＮＴに接続し、当該ネットワークＮＴ上の音楽提供サーバ３１０にアクセスすることができる。この場合、音楽提供サーバ３１０は、所定フォーマットの多数の音楽データを蓄積している。
【０１８０】
従って中央処理ユニット３０４は、ユーザにより操作入力部３０１を介して、所望の音楽データをダウンロード要求するための操作入力信号が入力されると、これに応じて音楽提供サーバ３１０にアクセスし所望の音楽データをダウンロード要求する。その結果、中央処理ユニット３０４は、音楽提供サーバ３１０から返信される所望の音楽データをネットワークインタフェース３０９及び通信処理部３０８を順次介してダウンロードする。これにより中央処理ユニット３０４は、かかる音楽データをハードディスクドライブ３０６に送出してハードディスクに記憶する。
【０１８１】
また中央処理ユニット３０４は、ユーザにより操作入力部３０１を介して、ＣＤ等の記録媒体に記録された音楽データを録音するための操作入力信号が入力されると、メディアドライブ３１１により記録媒体から音楽データを読み出すと共に、当該読み出した音楽データをデータ処理回路３１２に送出する。データ処理回路３１２は、メディアドライブ３１１から与えられた音楽データを圧縮符号化してハードディスクドライブ３０６に送出してハードディスクに記憶する。
【０１８２】
そして中央処理ユニット３０４は、ユーザにより操作入力部３０１を介してハードディスクドライブ３０６内の音楽データが指定され、かつ当該指定された音楽データを再生要求する操作入力信号が入力されると、これに応じてハードディスクドライブ３０６から、当該指定された音楽データを読み出してデータ処理回路３１２に送出する。データ処理回路３１２は、この際、音楽データを復号した後、デジタルアナログ変換や増幅等の音声処理を施し、得られた音楽信号をスピーカ３１３に送出する。このようにして中央処理ユニット３０４は、スピーカ３１３から音楽信号に基づく音楽を出力してユーザに聴かせることができる。
【０１８３】
さらにハードディスクドライブ３０６は、ハードディスクに対し複数種類のプレイリストを記憶している。そして中央処理ユニット３０４は、ユーザにより操作部３０１を介して、音楽データの再生に利用するプレイリストが指定され、かつそのプレイリストに従い音楽データを再生するように要求する操作入力信号が入力されると、これに応じてハードディスクドライブ３０６から当該指定されたプレイリストを読み出す。また中央処理ユニット３０４は、そのプレイリストに従いこれに登録されている複数の音楽データを順次ハードディスクドライブ３０６から読み出してデータ処理回路３１２に送出する。従ってデータ処理回路３１２は、この際、中央処理ユニット３０４から音楽データが与えられる毎に当該音楽データを復号した後、デジタルアナログ変換や増幅等の音声処理を施し、得られた音楽信号をスピーカ３１３に送出する。このようにして中央処理ユニット３０４は、スピーカ３１３から音楽信号に基づく音楽を順次出力するようにしてユーザに対し複数の音楽を連続的に聴かせることができる。
【０１８４】
さらに中央処理ユニット３０４は、各種プログラムの実行結果（例えば、音楽データの取得、録音及び再生等）に応じた表示用データを生成して表示処理部３１４に送出する。表示処理部３１４は、中央処理ユニット３０４から与えられた表示用データに基づく画面をディスプレイ３１５に表示する。このようにして中央処理ユニット３０４は、ディスプレイ３１５を介して、音楽データの取得、録音及び再生等に関する各種画面をユーザに視認させることができる。
【０１８５】
ところで再生装置３００は、上述したように基本的には中央処理ユニット３０４がＲＯＭ３０５又はハードディスクドライブ３０６に記憶された各種プログラムに従って各種処理を実行すると共に各ハードウェアを制御している。このため再生装置３００では、図２について上述した機能回路ブロックによるハードウェア構成の再生装置１０の機能に応じて、ＲＯＭ３０５又はハードディスクドライブ３０６に記憶させる各種プログラムを適宜選定することにより、中央処理ユニット３０４を上述の制御部１１（図２）と同様に機能させることができる。また再生装置３００では、メディアドライブ３１１及びデータ処理回路３１２及びスピーカ３１３を、上述の再生部１３（図２）と同様に機能させることができると共に、操作入力部３０１及び入力処理部３０２を、上述の入力部１２（図２）と同様に機能させることができる。さらに再生装置３００では、ハードディスクドライブ３０６を、上述のコンテンツデータ記憶部１４（図２）と同様に機能させることができると共に、通信処理部３０８及びネットワークインタフェース３０９を、上述の通信部１５（図２）と同様に機能させることができる。
【０１８６】
さらに再生装置３００では、表示処理部３１４を、上述の表示処理部１７（図２）と同様に機能させることができる。そして、ディスプレイ３１５は、上述の表示部１８（図２）に対応する。また音楽提供サーバ３１０は、上述の外部装置１６（図２）に対応する。従って再生装置３００は、再生装置１０の機能に応じて、ＲＯＭ３０５又はハードディスクドライブ３０６に記憶させる各種プログラムを適宜選定することにより、当該再生装置１０と同様の上述した処理を実行することができ、かくして上述した第１の実施の形態と同様の効果を得ることができる。
【０１８７】
（３）他の実施の形態
なお上述した第１及び第２の実施の形態においては、プレイリストにより再生順序の規定されたコンテンツデータとして、図１乃至図２６について上述した音楽データを適用するようにした場合について述べたが、本発明はこれに限らず、テレビジョン放送やラジオ放送により放送されている番組データ、映画のような画像データ等のように、この他種々のコンテンツデータを広く適用することができる。
【０１８８】
また上述した第１及び第２の実施の形態においては、コンテンツデータの再生に関する命令として、図１乃至図２６について上述した再生音楽切替命令、チャンネル切替命令、音楽選択決定命令を適用するようにした場合について述べたが、本発明はこれに限らず、コンテンツデータの再生に関する命令としては、再生音楽切替命令、チャンネル切替命令、音楽選択決定命令に加えて、プレイリストＰＬを選択決定する命令等のように、この他種々の再生に関する命令を広く適用することができる。
【０１８９】
さらに上述した第１及び第２の実施の形態においては、本発明による再生装置を、図１乃至２６について上述した再生装置１、１０及び３００に適用するようにした場合について述べたが、本発明はこれに限らず、パーソナルコンピュータや携帯電話機、ＰＤＡ（Personal Digital Assistance ）等の情報処理装置、また携帯型音楽再生装置、据置型音楽再生装置等の再生装置、さらにＤＶＤ（Digital Versatile Disc）レコーダやハードディスクレコーダ等の記録再生装置等のように、この他種々の構成の再生装置に広く適用することができる。
【産業上の利用可能性】
【０１９０】
本発明は、複数の音楽データを連続して再生可能な音楽再生装置等の再生装置に利用することができる。
【図面の簡単な説明】
【０１９１】
【図１】第１の実施の形態による再生装置の概要を示すブロック図である。
【図２】第１の実施の形態による再生装置の詳細構成を示すブロック図である。
【図３】リモートコントローラの構成を示す略線図である。
【図４】コンテンツデータベース及びプレイリストの構成を示す略線図である。
【図５】選択画面の構成を示す略線図である。
【図６】再生画面の構成を示す略線図である。
【図７】リスト利用再生機能の実行時における表示画面の切り替えの説明に供する略線図である。
【図８】チャンネルの切り替えに応じた音楽データの再生の切り替えの説明に供する略線図である。
【図９】音楽データを切り替えるときのフェードアウト再生及びフェードイン再生の説明に供する略線図である。
【図１０】音楽データを切り替えるときの表示情報の切り替えの説明に供する略線図である。
【図１１】音楽データ切替手法と表示情報切替手法との組み合せの説明に供する略線図である。
【図１２】音楽データ再生中に切り替えが要求されたときの音楽データ及び表示情報の切り替えの説明に供する略線図である。
【図１３】音楽データが選択されたときの音楽データの再生及び表示情報の切り替えの説明に供する略線図である。
【図１４】音楽データの再生が終了したときの音楽データ及び表示情報の切り替えの説明に供する略線図である。
【図１５】再生可能データ数に応じたフェードアウト再生時間及びフェードイン再生時間の設定の説明に供する略線図である。
【図１６】再生可能データ数に応じた表示消滅時間及び表示出現時間の設定の説明に供する略線図である。
【図１７】再生音楽切替要求の入力間隔に応じた音楽データ及び表示情報の切り替えの制御の説明に供する略線図である。
【図１８】再生利用設定画面の構成を示す略線図である。
【図１９】複数の音楽データの連続再生の説明に供する略線図である。
【図２０】リスト利用再生機能起動処理手順を示すフローチャートである。
【図２１】チャンネル切替処理手順を示すフローチャートである。
【図２２】再生切替処理手順を示すフローチャートである。
【図２３】時間設定処理手順を示すフローチャートである。
【図２４】時間変更処理手順を示すフローチャートである。
【図２５】連続再生処理手順を示すフローチャートである。
【図２６】第２の実施の形態による再生装置の構成を示すブロック図である。
【符号の説明】
【０１９２】
１、１０、３００……再生装置、２、１２……入力部、３、１３……再生部、４、１７、３０２……表示処理部、５、１１……制御部、１４……コンテンツデータ記憶部、１８……表示部、５０……現在表示情報、５１……次表示情報、３０１……操作入力部、３０２……入力処理部、３０４……中央処理ユニット、３０６……ハードディスクドライブ、３１１……メディアドライブ、３１２……データ処理回路、３１３……スピーカ、３１５……ディスプレイ、ＣＦＩＴ１……第１の変更フェードイン再生時間、ＣＦＩＴ２……第２の変更フェードイン再生時間、ＣＦＩＴ３……第３の変更フェードイン再生時間、ＣＦＩＴ４……第７の変更フェードイン再生時間、ＣＦＩＴ５……第８の変更フェードイン再生時間、ＣＦＯＴ１……第１の変更フェードアウト再生時間、ＣＦＯＴ２……第２の変更フェードアウト再生時間、ＣＦＯＴ３……第３の変更フェードアウト再生時間、ＣＦＯＴ４……第７の変更フェードアウト再生時間、ＣＦＯＴ５……第８の変更フェードアウト再生時間、Ｄ１、Ｄ１Ａ、Ｄ１Ｂ……音楽データ、ＦＩＴ１……第１のフェードイン再生時間、ＦＯＴ１……第１のフェードアウト再生時間、ＦＯＴ２……第２のフェードアウト再生時間、ＰＬ……プレイリスト、ＲＴ３……再生切替処理手順、ＲＴ４……時間設定処理手順、ＲＴ５……時間変更処理手順、ＲＴ６……連続再生処理手順。
【図１】
2008027538.tif 000003
【図２】
2008027538.tif 000004
【図３】
2008027538.tif 000005
【図４】
2008027538.tif 000006
【図５】
2008027538.tif 000007
【図６】
2008027538.tif 000008
【図７】
2008027538.tif 000009
【図８】
2008027538.tif 000010
【図９】
2008027538.tif 000011
【図１０】
2008027538.tif 000012
【図１１】
2008027538.tif 000013
【図１２】
2008027538.tif 000014
【図１３】
2008027538.tif 000015
【図１４】
2008027538.tif 000016
【図１５】
2008027538.tif 000017
【図１６】
2008027538.tif 000018
【図１７】
2008027538.tif 000019
【図１８】
2008027538.tif 000020
【図１９】
2008027538.tif 000021
【図２０】
2008027538.tif 000022
【図２１】
2008027538.tif 000023
【図２２】
2008027538.tif 000024
【図２３】
2008027538.tif 000025
【図２４】
2008027538.tif 000026
【図２５】
2008027538.tif 000027
【図２６】
2008027538.tif 000028